(57)【要約】  マルチグループレンズ（１０）は、少なくとも二つのグループユニット（１１、１２）を含み、少なくとも二つの隣接するグループユニット（１１、１２）間には、マルチグループレンズの光学系が光学設計系に適合するように、マルチグループレンズ（１０）と光学設計系との差を補償するための少なくとも一つの第１のギャップ（１５）がある、マルチグループレンズ（１０）と撮像モジュール（１００）およびその電子機器（２００）。
2020523632.tif 000002
【特許請求の範囲】
【請求項１】
少なくとも二つのグループユニットを含むマルチグループレンズであって、
少なくとも二つの隣接する前記グループユニット間には、前記マルチグループレンズの光学系が光学設計系に適合するように、前記マルチグループレンズと前記光学設計系との差を補償するための少なくとも一つの第１のギャップがあることを特徴とする、マルチグループレンズ。
【請求項２】
前記マルチグループレンズは、第１の載置部材と少なくとも一つの第１のグループレンズエレメントとを含む第１のグループユニットと、第２の載置部材と少なくとも一つの第２のグループレンズエレメントとを含む第２のグループユニットとの二つのグループユニットを含み、それぞれ二つのレンズユニットを形成するように、前記第１のグループレンズエレメントは第１の載置部材に取り付けられており、前記第２のグループレンズエレメントは前記第２の載置部材に取り付けられている、請求項１に記載のマルチグループレンズ。
【請求項３】
前記第１の載置部材と前記第２の載置部材とが前記第１のギャップを形成し、前記第１のギャップに接続媒体が設置されている、請求項２に記載のマルチグループレンズ。
【請求項４】
前記第１の載置部材は第１の本体と延伸台とを含み、前記延伸台と前記第２のグループユニットの前記第２の載置部材とが前記第１のギャップを形成している、請求項２に記載のマルチグループレンズ。
【請求項５】
前記延伸台は環状構造に形成されている、請求項４に記載のマルチグループレンズ。
【請求項６】
前記第１の本体は、第１の収容キャビティと、第１の上部光通過孔と、第１の下部光通過孔とを有し、前記第１のグループレンズエレメントは前記第１の収容キャビティに収容され、光は前記第１の上部光通過孔を通して前記第１のグループレンズエレメントに到達し、第１の下部光通過孔を通して前記第２のグループユニットに到達する、請求項４に記載のマルチグループレンズ。
【請求項７】
前記第２の本体は、第２の収容キャビティと、第２の上部光通過孔と、第２の下部光通過孔とを有し、前記第２のグループレンズエレメントは前記第２の収容キャビティに収容され、前記第１のグループユニットを通過した光は第２の上部光通過孔を通して前記第２のグループユニット内の前記第２のグループレンズエレメントに到達し、前記下部光通過孔を通して前記第２のグループユニットを通過する、請求項４に記載のマルチグループレンズ。
【請求項８】
前記延伸台の下方に位置する前記第１の本体は、前記第２の本体の前記第２の上部光通過孔内に延びている、請求項６に記載のマルチグループレンズ。
【請求項９】
前記第２の載置部材は内側延長縁を含み、前記内側延長縁は前記第２の本体から内側に延びて前記第２の上部光通過孔を形成する、請求項６に記載のマルチグループレンズ。
【請求項１０】
前記第１のグループユニットと前記第２のグループユニットとの相対的位置を調整するように、前記第１の本体と前記内側延長縁とが第４のギャップを形成している、請求項９に記載のマルチグループレンズ。
【請求項１１】
前記延伸台と前記内側延長縁とが前記第１のギャップを形成している、請求項９に記載のマルチグループレンズ。
【請求項１２】
前記マルチグループレンズは少なくとも一つの調整素子を含み、前記調整素子は前記第１のグループユニットの前記延伸台に設置され、前記調整素子と前記内側延長縁とが前記第１のギャップを形成している、請求項９に記載のマルチグループレンズ。
【請求項１３】
少なくとも二つの隣接する前記グループユニットは少なくとも一つの第２のギャップを有し、前記第２のギャップは前記第１のギャップと連通している、請求項１２に記載のマルチグループレンズ。
【請求項１４】
前記調整素子は、前記延伸台から部分的に下方に延び、前記延伸台と前記内側延長縁との間に前記第１のギャップと前記第２のギャップを形成している、請求項１３に記載のマルチグループレンズ。
【請求項１５】
前記第１のグループユニットの前記調整素子と前記第２のグループユニットの前記内側延長縁とが前記第１のギャップを形成している、請求項１３に記載のマルチグループレンズ。
【請求項１６】
前記マルチグループレンズは少なくとも一つの調整素子を含み、前記調整素子は前記第２の載置部材の前記内側延長縁に設置され、前記内側延長縁と前記延伸台とが前記第１のギャップを形成している、請求項９に記載のマルチグループレンズ。
【請求項１７】
前記第２の載置部材は外側凸壁を含み、前記外側凸壁は前記第２の本体から上方に延びて内側装着溝を形成し、前記延伸台は前記内側装着溝に収容されている、請求項８〜１６のいずれか一項に記載のマルチグループレンズ。
【請求項１８】
前記外側凸壁と前記外側延伸台とが第３のギャップを形成している、請求項１７に記載のマルチグループレンズ。
【請求項１９】
前記第２の載置部材は内側凸壁を含み、前記内側凸壁は前記第２の本体から上方に延びて外側装着溝を形成している、請求項８〜１６のいずれか一項に記載のマルチグループレンズ。
【請求項２０】
前記調整素子は前記延伸台の外部から部分的に下方に延び、前記第１の本体とＵ字型構造を形成している、請求項１９に記載のマルチグループレンズ。
【請求項２１】
前記調整素子は前記外側装着溝に延びている、請求項２０に記載のマルチグループレンズ。
【請求項２２】
前記第１のグループユニットと前記第２のグループユニットを固定するように、前記第１のギャップに接続媒体が設置されている、請求項１〜１６のいずれか一項に記載のマルチグループレンズ。
【請求項２３】
前記接続媒体は、ＵＶ接着剤、熱硬化性接着剤、ＵＶ熱硬化性接着剤、およびエポキシ樹脂接着剤からなる群より選ばれる一つ以上である、請求項２２に記載のマルチグループレンズ。
【請求項２４】
前記第１のグループユニットと前記第２のグループユニットを固定するように、前記第１のギャップと前記第２のギャップに接続媒体が設置されている、請求項１３〜１５のいずれか一項に記載のマルチグループレンズ。
【請求項２５】
前記第１のグループユニットと前記第２のグループユニットを固定するように、前記第３のギャップに接続媒体が設置されている、請求項１８に記載のマルチグループレンズ。
【請求項２６】
前記調整素子は、間隔を置いて対称的に配置されている、請求項１２〜１５のいずれか一項に記載のマルチグループレンズ。
【請求項２７】
前記調整素子の数は、２、３、４、５、６、７、および８からなる群より選ばれる一つである、請求項１２〜１５のいずれか一項に記載のマルチグループレンズ。
【請求項２８】
前記マルチグループレンズのレンズエレメント数が７である、請求項１〜１６のいずれか一項に記載のマルチグループレンズ。
【請求項２９】
第１のグループユニットの前記レンズエレメント数が４であり、前記第２のグループユニットの前記レンズエレメント数が３である、請求項２〜１６のいずれか一項に記載のマルチグループレンズ。
【請求項３０】
前記第１のグループユニットと前記第２のグループユニットのレンズエレメント数は、組み合わせ（４，３）、（３，４）、（６，１）、（１，６）、（５，２）、（２，５）からなる群より選ばれる一つである、請求項２〜１６のいずれか一項に記載のマルチグループレンズ。
【請求項３１】
前記第１のグループユニットは少なくとも一つの第１の光路素子を含み、前記第１のグループユニットの光チャネルを形成するように、前記第１の光路素子は前記レンズと組み合わせて配置されている、請求項２〜１６のいずれか一項に記載のマルチグループレンズ。
【請求項３２】
前記光路素子と前記第１のグループレンズエレメントとが交互に配置されている、請求項３１に記載のマルチグループレンズ。
【請求項３３】
前記第２のグループユニットは少なくとも一つの第２の光路素子を含み、前記第２のグループユニットの光チャネルを形成するように、前記第２の光路素子は前記第２のグループレンズエレメントと組み合わせて配置されている、請求項２〜１６のいずれか一項に記載のマルチグループレンズ。
【請求項３４】
前記第１のグループユニットは、前記第１のグループユニットの下端に位置する前記第１のグループレンズエレメントの位置に対応してその対応する前記第１のグループレンズエレメントを固定するための締付リングを含む、請求項２〜１６のいずれか一項に記載のマルチグループレンズ。
【請求項３５】
前記第２のグループユニットは、前記第２のグループユニットの下端に位置する前記第２のグループレンズエレメントの位置に対応してその対応する前記第２のグループレンズエレメントを固定するための締付リングを含む、請求項２〜１６のいずれか一項に記載のマルチグループレンズ。
【請求項３６】
前記第１のグループユニットと前記第２のグループユニットは、アクティブアライメントによって組み立てられる、請求項１〜１６のいずれか一項に記載のマルチグループレンズ。
【請求項３７】
請求項１〜３６のいずれか一項に記載のマルチグループレンズと、
感光モジュールと
を含む撮像モジュールであって、前記マルチグループレンズは前記感光モジュールの感光経路に位置していることを特徴とする、撮像モジュール。
【請求項３８】
前記撮像モジュールはレンズ載置素子を含み、前記マルチグループレンズは前記レンズ載置素子に取り付けられ、前記レンズ載置素子は、前記マルチグループレンズが前記感光モジュールの感光経路に位置するように、前記感光モジュールに取り付けられる、請求項３７に記載の撮像モジュール。
【請求項３９】
オートフォーカス撮像モジュールを構成するように、前記レンズ載置素子は駆動素子である、請求項３８に記載の撮像モジュール。
【請求項４０】
固定焦点撮像モジュールを構成するように、前記レンズ載置素子は固定素子である、請求項３８に記載の撮像モジュール。
【請求項４１】
前記感光モジュールは、感光素子と、回路基板と、レンズホルダとを含み、前記感光素子は前記回路基板に電気的に接続され、前記レンズホルダは前記回路基板に取り付けられる、請求項３９または４０に記載の撮像モジュール。
【請求項４２】
前記撮像モジュールは、前記レンズホルダに取り付けられる光フィルター素子を含む、請求項４１に記載の撮像モジュール。
【請求項４３】
機器本体と、
請求項１〜３６のいずれか一項に記載のマルチグループレンズと、
感光モジュールと
を含む電子機器であって、前記マルチグループレンズは前記感光モジュールの感光経路に設置されて撮像モジュールを構成し、前記撮像モジュールは前記機器本体に設置され、前記機器本体と協働して画像の収集と再生を実現することを特徴とする、電子機器。
【請求項４４】
前記電子機器は、スマートフォン、ウェアラブルデバイス、コンピューターデバイス、テレビ、交通機関、カメラ、およびモニタリング装置からなる群より選ばれる一つである、請求項４３に記載の電子機器。
【発明の詳細な説明】
【技術分野】
【０００１】
本発明は光学モジュールと撮像モジュールの分野に係るものであり、さらに、マルチグループレンズと撮像モジュールおよびその電子機器に係り、特に、高画素撮像モジュールに適したマルチレンズエレメントのレンズに関するものである。
【背景技術】
【０００２】
レンズは撮像モジュールの不可欠で極めて重要な部材であり、レンズの性能は撮像モジュールの結像品質に直接に影響する。
【０００３】
スマートフォンやウェアラブルデバイスなどの様々なスマートデバイスの発展につれ、撮像モジュールに対する需要と撮像モジュールの性能に対する要求は高くなりつつある。
【０００４】
撮像モジュールの発展において、もっとも顕著な現象の一つは、撮像モジュールの結像品質に対する要求がますます高くなっていることである。例えば、画像に対する要求がますます高くなっている。撮像モジュールの結像品質は多くの部材に関連し、例えば、感光素子の性能、レンズのレンズエレメント（ｌｅｎｓ）数、製造中に達成できるプロセス精度、光学レンズエレメントの設計性能などに関連している。そのため、撮像モジュールの開発は、多くの面での協力発展が必要である。逆に、様々な部材の開発は、他の部材の開発ニーズに依存する。例えば、撮像モジュールの全体的な性能が低かった初期の頃、感光素子のピクセルが低く、レンズには２、３枚のレンズエレメントしか必要としなかったが、近年来、感光素子および撮像モジュールの製造プロセスなどの要素は急速に発展し、レンズに対する要求も急増し、マルチレンズエレメントのレンズは勢い当たるべからず発展方向になっている。
【０００５】
従来のレンズの構造を詳しく見ると、レンズは通常に鏡筒とレンズエレメントとを含み、設計および製造されたレンズは逐次に順に鏡筒に取り付けられて完全な光学系を備えたレンズを構成する。このレンズは組み立てられて撮像モジュールを構成することができ、これによって完全な画像収集と再生を実現する。
【０００６】
なお、光学系は非常に敏感なシステムである。レンズの製造において、まず、論理的な光学設計を経てからレンズエレメントが製造され、そしてレンズエレメントが逐次に鏡筒に組み立てられてレンズを形成する。これより分かるように、論理的な光学設計から実際の応用製品までに誤差が生じるのは不可避的である。特にレンズエレメントの組立中に、レンズエレメント１枚を組み立てるたびに一定の誤差が生じて、複数のレンズエレメントを組み立てた後に全体的な累積誤差が形成する。この累積誤差は、レンズエレメント数の増加につれてどんどん大きくなることは容易に理解できる。これは、マルチレンズエレメントのレンズに対する需要を面する時に、従来の一体型構造のレンズにおける明らかで解決し難い問題である。
【０００７】
従来の一体型レンズでは、レンズエレメントは逐次に鏡筒に固定される。すなわち、一旦レンズエレメントは鏡筒に取り付けられると、その位置を再度調整することはほとんどできない。これは、取付プロセスの精度に対する要求は非常に高くなる一方、製品の歩留まりは低い。
【０００８】
そして、現代の撮像モジュールおよび関連分野では、撮像モジュールおよび関連部材の需要が膨大であるため、大量生産の歩留まりは、理想的な設計を実際に適用できるか否かを決定する重要な要素である。撮像モジュールの組立の過程において、ＡＡアライメント（Ａｃｔｉｖｅ  Ａｌｉｇｎｍｅｎｔ，アクティブアライメント）、すなわち、異なる方向での調整によって各部材の光軸を一致させることは、光学系を調整する重要なステップである。ＡＡアライメントのプロセスは撮像モジュールの歩留まりをある程度で影響する。従来のレンズはレンズホルダまたはモーターに取り付けられており、ＡＡアライメントの過程において、レンズはレンズホルダまたはモーターにしたがって動くしかなく、それ自身は調整されることができない。つまり、レンズはＡＡアライメントに何ら役割もない。実際には、光学系は主にレンズと感光素子とからなる、従来のレンズからなる撮像モジュールでは、レンズは直接に調整できない。
【０００９】
また、レンズの設計、製造の過程において、理想的な光学系から、実際のレンズエレメントと鏡筒からなる製品になるまで、実際の実現過程を考慮する必要がある。例えば、実際の鏡筒とレンズエレメントの製造時に、初期段階ではどのような標準を使うか、後期ではどのように調整するか、これらは、レンズを理論設計から実際の製品にするために考慮しなければならないことであり、マルチレンズエレメントの光学レンズについてもそうである。
【００１０】
上記のことから分かるように、従来の一体型構造のレンズはマルチレンズエレメントのニーズを満たすことができない。レンズの発展は、この従来の構造上の制限を乗り越えなければならない。さらに、設計及び製造の過程において、それに適する設計および構造を探索する必要があり、それによって理論的な光学設計を実際の大量生産に活用でき、製品の歩留まりを向上させる。
【発明の概要】
【００１１】
本発明の一つの目的は、マルチグループレンズと撮像モジュールおよびその電子機器を提供することであり、マルチグループレンズは、少なくとも二つのグループユニットによって全体的なレンズを形成し、これによって従来の一体型レンズ構造を突破し、マルチレンズエレメントのレンズに適している。
【００１２】
本発明の一つの目的は、マルチグループレンズと撮像モジュールおよびその電子機器を提供することであり、複数のグループユニットによって全体的なレンズの累積誤差を分担し、組立過程中にマルチグループユニットの空間範囲内での調整によって、マルチグループレンズの累積誤差を減少させる。
【００１３】
本発明の一つの目的は、マルチグループレンズと撮像モジュールおよびその電子機器を提供することであり、マルチグループレンズは、６枚、７枚以上のレンズエレメントを有するレンズの製造に特に適しており、既存のレンズのマルチレンズエレメントの発展需要に適している。
【００１４】
本発明の一つの目的は、マルチグループレンズと撮像モジュールおよびその電子機器を提供することであり、マルチグループレンズは少なくとも二つのグループユニットで構成され、実際に製造される製品の光学系が光学設計要件を満たすように、少なくとも隣接する二つのグループユニット間に第１のギャップがある。
【００１５】
本発明の一つの目的は、マルチグループレンズと撮像モジュールおよびその電子機器を提供することであり、第１のギャップにより、マルチグループレンズは実際の製造過程においてＡＡアライメントを実行可能であり、しかもＡＡアライメント後の予期結果は、後続の組立においてよく維持できる。
【００１６】
本発明の一つの目的は、マルチグループレンズと撮像モジュールおよびその電子機器を提供することであり、第１のギャップは、実際の製造中のマルチグループユニットの実際値と理論的な所定設計差に対応し、これによって、差異がある実際のグループユニットと理論的なグループユニットの光学系を一致させる。
【００１７】
本発明の一つの目的は、マルチグループレンズと撮像モジュールおよびその電子機器を提供することであり、実際の製造中にマルチグループレンズを安定的に組み立てることができるように、少なくとも隣接する二つのグループレンズ間に第２のギャップがある。
【００１８】
本発明の一つの目的は、マルチグループレンズと撮像モジュールおよびその電子機器を提供することであり、第１のギャップと第２のギャップとは互いに連通し、これによって第１のギャップと第２のギャップとの間の空間内で接続媒体を調整可能であり、安定的な組立の完成を遂げる。
【００１９】
本発明の一つの目的は、マルチグループレンズと撮像モジュールおよびその電子機器を提供することであり、第１のギャップおよび第２のギャップの設置により、マルチグループレンズを理論設計から実際の製品に転換することができ、安定した組立過程を通して予期の光学系設計を実現し、製品の歩留まりが向上し、実際の大量生産応用に適している。
【００２０】
本発明の一つの目的は、マルチグループレンズと撮像モジュールおよびその電子機器を提供することであり、第１のギャップの大きさはＡＡアライメントの結果によって決められ、組立時にグループユニットを所定値の第１のギャップに近づけさせて最終的にグループユニットの相対的な位置が光学系の設計要件を満たすようになる。
【００２１】
本発明の一つの目的は、マルチグループレンズと撮像モジュールおよびその電子機器を提供することであり、組立過程において接続媒体が第１のギャップの対応位置から第２のギャップの対応位置に移動できるように、第２のギャップを第１のギャップより大きくし、これによってグループユニット間の相互作用力を緩和し、組立過程をより安定させ、グループユニット間の相互影響を小さくする。
【００２２】
本発明の一つの目的は、マルチグループレンズと撮像モジュールおよびその電子機器を提供することであり、接続媒体は弾性があり、グループユニット間の組立時の相互作用力を緩衝する。
【００２３】
本発明の一つの目的は、マルチグループレンズと撮像モジュールおよびその電子機器を提供することであり、少なくとも隣接する二つのグループユニット間には、これら二つのグループユニット間に第１のギャップと第２のギャップを形成するための少なくとも一つの調整素子が設けられている。
【００２４】
本発明の一つの目的は、マルチグループレンズと撮像モジュールおよびその電子機器を提供することであり、調整素子は、グループユニットに一体的に設置されてもよい。
【００２５】
本発明の一つの目的は、マルチグループレンズと撮像モジュールおよびその電子機器を提供することであり、一部の実施形態では、調整素子は、上方に位置するグループユニットに一体的に設置され、グループユニットの延伸台から間隔をおいて突出している。
【００２６】
本発明の一つの目的は、マルチグループレンズと撮像モジュールおよびその電子機器を提供することであり、一部の実施形態では、調整素子は、下方に位置するグループユニットに一体的に設置され、グループユニットの上表面から間隔をおいて突出している。
【００２７】
本発明の一つの目的は、マルチグループレンズと撮像モジュールおよびその電子機器を提供することであり、少なくとも隣接する二つのグループユニット間に複数の調整素子が設けられ、二つのグループユニット間の力を均一にするように、各調整素子は対称的に分布している。
【００２８】
本発明の少なくとも一つの目的を実現するために、本発明は一つの態様において、
少なくとも二つのグループユニットを含むマルチグループレンズであって、少なくとも二つの隣接する前記グループユニット間には、前記マルチグループレンズの光学系が光学設計系に適合するように、前記マルチグループレンズと前記光学設計系との差を補償するための少なくとも一つの第１のギャップがある、マルチグループレンズを提供する。
【００２９】
一部の実施形態では、前記マルチグループレンズにおいて、前記マルチグループレンズは、第１の載置部材と少なくとも一つの第１のグループレンズとを含む第１のグループユニットと、第２の載置部材と少なくとも一つの第２のグループレンズとを含む第２のグループユニットとの二つのグループユニットを含み、それぞれ二つのレンズユニットを形成するように、前記第１のグループレンズは第１の載置部材に取り付けられており、前記第２のグループレンズは前記第２の載置部材に取り付けられている。
【００３０】
一部の実施形態では、前記マルチグループレンズにおいて、前記第１の載置部材と前記第２の載置部材とが前記第１のギャップを形成し、前記第１のギャップに接続媒体が設置される。
【００３１】
一部の実施形態では、前記マルチグループレンズにおいて、前記第１の載置部材は第１の本体と延伸台とを含み、前記延伸台と前記第２のグループユニットの前記第２の載置部材とが前記第１のギャップを形成する。
【００３２】
一部の実施形態では、前記マルチグループレンズにおいて、前記延伸台は環状構造に形成されている。
【００３３】
一部の実施形態では、前記マルチグループレンズにおいて、前記第１の本体は、第１の収容キャビティと、第１の上部光通過孔と、第１の下部光通過孔とを有し、前記第１のグループレンズエレメントは前記第１の収容キャビティに収容され、光は前記第１の上部光通過孔を通して前記第１のグループレンズエレメントに到達し、第１の下部光通過孔を通して前記第２のグループユニットに到達する。
【００３４】
一部の実施形態では、前記マルチグループレンズエレメントにおいて、前記第２の本体は、第２の収容キャビティと、第２の上部光通過孔と、第２の下部光通過孔とを有し、前記第２のグループレンズエレメントは前記第２の収容キャビティに収容され、前記第１のグループユニットを通過した光は第２の上部光通過孔を通して前記第２のグループユニット内の前記第２のグループレンズエレメントに到達し、前記下部光通過孔を通して前記第２のグループユニットを通過する。
【００３５】
一部の実施形態では、前記マルチグループレンズにおいて、前記延伸台の下方に位置する前記第１の本体は、前記第２の本体の前記第２の上部光通過孔内に延びている。
【００３６】
一部の実施形態では、前記マルチグループレンズにおいて、前記第２の載置部材は内側延長縁を含み、前記内側延長縁は前記第２の本体から内側に延びて前記第２の上部光通過孔を形成する。
【００３７】
一部の実施形態では、前記マルチグループレンズにおいて、前記第１のグループユニットと前記第２のグループユニットとの相対的位置を調整するように、前記第１の本体と前記内側延長縁とが第４のギャップを形成する。
【００３８】
一部の実施形態では、前記マルチグループレンズにおいて、前記延伸台と前記内側延長縁とが前記第１のギャップを形成する。
【００３９】
一部の実施形態では、前記マルチグループレンズにおいて、前記マルチグループレンズは少なくとも一つの調整素子を含み、前記調整素子は前記第１のグループユニットの前記延伸台に設置され、前記調整素子と前記内側延長縁とが前記第１のギャップを形成する。
【００４０】
一部の実施形態では、前記マルチグループレンズにおいて、少なくとも二つの隣接する前記グループユニットは少なくとも一つの第２のギャップを有し、前記第２のギャップは前記第１のギャップと連通している。
【００４１】
一部の実施形態では、前記マルチグループレンズにおいて、前記調整素子は、前記延伸台から部分的に下方に延び、前記延伸台と前記内側延長縁との間に前記第１のギャップと前記第２のギャップを形成する。
【００４２】
一部の実施形態では、前記マルチグループレンズにおいて、前記第１のグループユニットの前記延伸台と前記第２のグループユニットの前記内側延長縁とが前記第２のギャップを形成する。
【００４３】
一部の実施形態では、前記マルチグループレンズにおいて、前記マルチグループレンズは少なくとも一つの調整素子を含み、前記調整素子は前記第２の載置部材の前記内側延長縁に設置され、前記内側延長縁と前記延伸台とが前記第１のギャップを形成する。
【００４４】
一部の実施形態では、前記マルチグループレンズにおいて、前記第２の載置部材は外側凸壁を含み、前記外側凸壁は前記第２の本体から上方に延びて内側装着溝を形成し、前記延伸台は前記内側装着溝に収容されている。
【００４５】
一部の実施形態では、前記マルチグループレンズにおいて、前記外側凸壁と前記外側延伸台とが第３のギャップを形成する。
【００４６】
一部の実施形態では、前記マルチグループレンズにおいて、前記第２の載置部材は内側凸壁を含み、前記内側凸壁は前記第２の本体から上方に延びて外側装着溝を形成する。
【００４７】
一部の実施形態では、前記マルチグループレンズにおいて、前記調整素子は前記延伸台の外部から部分的に下方に延び、前記第１の本体とＵ字型構造を形成する。
【００４８】
一部の実施形態では、前記マルチグループレンズにおいて、前記調整素子は前記外側装着溝に延びている。
【００４９】
一部の実施形態では、前記マルチグループレンズにおいて、前記第１のグループユニットと前記第２のグループユニットを固定するように、前記第１のギャップに接続媒体が設置されている。
【００５０】
一部の実施形態では、前記マルチグループレンズにおいて、前記接続媒体は、ＵＶ接着剤、熱硬化性接着剤、ＵＶ熱硬化性接着剤、およびエポキシ樹脂接着剤からなる群より選ばれる一つ以上である。
【００５１】
一部の実施形態では、前記マルチグループレンズにおいて、前記第１のグループユニットと前記第２のグループユニットを固定するように、前記第１のギャップと前記第２のギャップに接続媒体が設置されている。
【００５２】
一部の実施形態では、前記マルチグループレンズにおいて、前記第１のグループユニットと前記第２のグループユニットを固定するように、前記第３のギャップに接続媒体が設置されている。
【００５３】
一部の実施形態では、前記マルチグループレンズにおいて、前記調整素子は、間隔をおいて対称的に配置されている。
【００５４】
一部の実施形態では、前記マルチグループレンズにおいて、前記調整素子の数は、２、３、４、５、６、７、および８からなる群より選ばれる一つである。
【００５５】
一部の実施形態では、前記マルチグループレンズにおいて、前記マルチグループレンズのレンズエレメント数が７である。
【００５６】
一部の実施形態では、前記マルチグループレンズにおいて、第１のグループユニットの前記レンズエレメント数が４であり、前記第２のグループユニットの前記レンズエレメント数が３である。
【００５７】
一部の実施形態では、前記マルチグループレンズにおいて、前記第１のグループユニットと前記第２のグループユニットのレンズエレメント数は、組み合わせ（４，３）、（３，４）、（６，１）、（１，６）、（５，２）、（２，５）からなる群より選ばれる一つである。
【００５８】
一部の実施形態では、前記マルチグループレンズにおいて、前記第１のグループユニットは少なくとも一つの第１の光路素子を含み、前記第１のグループユニットの光チャネルを形成するように、前記第１の光路素子は前記レンズエレメントと組み合わせて配置される。
【００５９】
一部の実施形態では、前記マルチグループレンズにおいて、前記光路素子と前記第１のグループレンズエレメントとが交互に配置されている。
【００６０】
一部の実施形態では、前記マルチグループレンズにおいて、前記第２のグループユニットは少なくとも一つの第２の光路素子を含み、前記第２のグループユニットの光チャネルを形成するように、前記第２の光路素子は前記第２のグループレンズエレメントと組み合わせて配置される。
【００６１】
一部の実施形態では、前記マルチグループレンズにおいて、前記第１の載置部材は、前記第１のグループユニットの下端に位置する前記第１のグループレンズエレメントの位置に対応する少なくとも一つの補強固定溝を有し、この補強固定溝は、接着媒体を収容して前記第１のグループレンズエレメントを補強固定するために使用される。
【００６２】
一部の実施形態では、前記マルチグループレンズにおいて、前記第２の載置部材は、前記第２のグループユニットの下端に位置する前記第２のグループレンズエレメントの位置に対応する少なくとも一つの補強固定溝を有し、この補強固定溝は、接着媒体を収容して前記第２のグループレンズエレメントを補強固定するために使用される。
【００６３】
一部の実施形態では、前記マルチグループレンズにおいて、前記第１のグループユニットと前記第２のグループユニットは、アクティブアライメントによって組み立てられる。
【００６４】
本発明はもう一つの態様によれば、
マルチグループレンズと、
感光モジュールと
を含む撮像モジュールであって、前記マルチグループレンズは前記感光モジュールの感光経路に位置し、少なくとも二つの隣接する前記グループユニット間には、前記マルチグループレンズの光学系が光学設計系に適合するように、前記マルチグループレンズと前記光学設計系との差を補償するための少なくとも一つの第１のギャップがある、撮像モジュールを提供する。
【００６５】
本発明はもう一つの態様によれば、
機器本体と、
前記機器本体と組み合わせて画像の収集と再生を実現する撮像モジュールと
を含む電子機器を提供する。
【００６６】
一部の実施形態では、前記マルチグループレンズにおいて、前記電子機器は、スマートフォン、ウェアラブルデバイス、コンピューターデバイス、テレビ、交通機関、カメラ、およびモニタリング装置からなる群より選ばれる一つである。
【図面の簡単な説明】
【００６７】
【図１】図１は、本発明の実施形態によるマルチグループレンズの製造原理のブロック図である。
【図２】図２は、本発明の第１の実施形態に係るマルチグループレンズの全体斜視図である。
【図３】図３は、本発明の第１の実施形態に係るマルチグループレンズの全体断面図である。
【図４Ａ】図４Ａは、本発明の第１の実施形態に係るマルチグループレンズの部分拡大図であり、第１のギャップと第３のギャップを説明するためのものである。
【図４Ｂ】図４Ｂは、本発明の第１の実施形態に係るマルチグループレンズの部分拡大図であり、第２のギャップと第３のギャップを説明するためのものである。
【図５】図５は、本発明の第１の実施形態に係るマルチグループレンズの第１のグループユニットが直立しているときの斜視図である。
【図６】図６は、本発明の第１の実施形態に係るマルチグループレンズの第１のグループユニットを反転させたときの斜視図である。
【図７】図７は、本発明の第１の実施形態に係るマルチグループレンズの第２のグループユニットが直立しているときの斜視図である。
【図８】図８は、本発明の第１の実施形態に係るマルチグループレンズの第２のグループユニットを反転させたときの斜視図である。
【図９】図９は、本発明の第１の実施形態に係る第１のグループユニットの組立プロセスの模式図である。
【図１０】図１０は、本発明の第１の実施形態に係る第２のグループユニットの組立プロセスの模式図である。
【図１１Ａ】図１１Ａは、本発明の第１の実施形態に係る二つのグループユニットの異なる固定方法の模式図である。
【図１１Ｂ】図１１Ｂは、本発明の第１の実施形態に係る二つのグループユニットの異なる固定方法の模式図である。
【図１１Ｃ】図１１Ｃは、本発明の第１の実施形態に係る二つのグループユニットの異なる固定方法の模式図である。
【図１２】図１２は、本発明の第１の実施形態に係るマルチグループレンズから構成される撮像モジュールの模式図である。
【図１３】図１３は、本発明の上記実施形態に係るマルチグループレンズから構成される撮像モジュールの組立プロセスの模式図である。
【図１４】図１４は、本発明の上記実施形態に係るマルチグループレンズから構成される撮像モジュールの別の組立プロセスの模式図である。
【図１５】図１５は、本発明の上記調整プロセス中のマルチグループレンズ間のギャップ位置の変化を示す模式図である。
【図１６】図１６は、本発明の第２の実施形態に係るマルチグループレンズの断面図である。
【図１７Ａ】図１７Ａは、本発明の第２の実施形態に係るマルチグループレンズの部分拡大模式図であり、第１のギャップと第３のギャップを説明するためのものである。
【図１７Ｂ】図１７Ｂは、本発明の第２の実施形態に係るマルチグループレンズの部分拡大模式図であり、第２のギャップと第３のギャップを説明するためのものである。
【図１８】図１８は、本発明の第３の実施形態に係るマルチグループレンズの断面模式図である。
【図１９】図１９は、本発明の第３の実施形態に係るマルチグループレンズの部分拡大模式図であり、第１のギャップを説明するためのものである。
【図２０】図２０は、本発明の第４の実施形態に係るマルチグループレンズの断面模式図である。
【図２１Ａ】図２１Ａは、本発明の上記実施形態に係るマルチグループレンズの異なるレンズエレメント割り当て方式のブロック模式図である。
【図２１Ｂ】図２１Ｂは、本発明の上記実施形態に係るマルチグループレンズの異なるレンズエレメント割り当て方式のブロック模式図である。
【図２１Ｃ】図２１Ｃは、本発明の上記実施形態に係るマルチグループレンズの異なるレンズエレメント割り当て方式のブロック模式図である。
【図２１Ｄ】図２１Ｄは、本発明の上記実施形態に係るマルチグループレンズの異なるレンズエレメント割り当て方式のブロック模式図である。
【図２１Ｅ】図２１Ｅは、本発明の上記実施形態に係るマルチグループレンズの異なるレンズエレメント割り当て方式のブロック模式図である。
【図２２】図２２は、本発明の上記実施形態に係るマルチグループレンズから構成される撮像モジュールの応用模式図である。
【発明を実施するための形態】
【００６８】
以下の記載は本発明を開示して当業者が本発明を実現できるようにするものである。以下に記載の好ましい実施例は例示に過ぎず、当業者は他の明らかな変化形に容易に想到できる。以下の記載において定義された本発明の基本的な原理は他の実施形態、変形形態、改善形態、均等形態及び本発明の趣旨と範囲から離脱しない他の技術構成に応用できる。
【００６９】
当業者は以下のように理解できる。本発明の開示において、用語の「縦方向」、「横方向」、「上」、「下」、「前」、「後」、「左」、「右」、「垂直」、「水平」、「頂」、「底」、「内」、「外」等が示す方位または位置関係は図面に示された方位または位置関係に基づくものであり、本発明を説明しやすく及び簡単に説明するためのものであり、対象の装置または素子が必然的に特定の方位、特定の方位のある構造及び操作を示しまたは示唆するものではなく、このため、前記用語は本発明に対する制限と理解することはできない。
【００７０】
以下のように理解できる。用語の「一つ」は「少なくとも一つの」または「一つまたは複数の」と理解すべきであり、即ち一つの実施形態において、一つの素子の数量は一つとすることができ、他の実施形態において、該素子の数量は複数とすることができ、用語「一つ」は数量に対する制限と理解してはならない。
【００７１】
スマートデバイスの発展につれ、撮像モジュールに対する要求もますます高くなり、それ相応にマルチレンズエレメントのレンズも光学レンズの発展の一つの重要な傾向になっている。期待される範囲を満たす各性能を備えた光学系を設計した後、実際の部材およびそれに対応する製造過程によって理論設計を実現する必要がある。これは実際の生産製造業にとって不可欠である。また、実際の製造は理論設計を指導・修正する。
【００７２】
総じていえば、光学レンズの誕生には、光学設計プロセス、実際のハードウェア設計、および実際の製造組立プロセスなど、いくつかの重要な段階を経る必要がある。本発明の設計の実現過程の原理図である図１を参照して、本発明によって提供されるマルチグループレンズを例として、まず光学設計プロセスによって光学系の設計パラメータを得る必要がある。これらのパラメータは、予期の要求、例えば期待される結像品質要求を満たす。設計の過程から分かるように、背景技術で説明したように、レンズエレメント数が少ない既存のレンズは設計要件を満たすことができなくなっているので、数の多いレンズエレメントで構成する光学系を設計し、且つ各レンズエレメントのパラメータは所定の条件を満たさなければならず、例えば、６枚、７枚以上のレンズエレメントから構成される光学系を設計する。しかし、従来の構造を有する一体型レンズでは、その構造上の制限および組立製造プロセスの制限によって、６枚、７枚以上の複数のレンズエレメントがある場合、結像品質および製造プロセスの精度などの要素はもう光学系の設計要求を満たせなくなり、その解決も難しい。そのため、本発明は実際のハードウェア設計において従来の一体型レンズ構造を突破し、少なくとも二つのグループユニットから一つの全体的なレンズを構成し、しかも各グループユニットの相対的位置は、６軸空間などの空間内で調整可能であり、これによってマルチグループレンズの全体的な累積誤差が小さく、全体的なレンズの数が多く、例えば、６枚、７枚以上の設計要件を満たしやすい。さらに、マルチグループレンズは、グループユニット間の併用構造を提供するため、グループユニットが安定的に組み合わされ、光路が一致し、二つのグループユニットの組み合わせ位置から内部に入る迷光を減少させることができる。また、光学系の部材の実現において、組立プロセスの制限、実際の製造状況を考慮に入れる必要があり、さらに、後の組立調整を容易にするために、グループユニットの実際の製造パラメータ値と光学設計パラメータ値との間には所定の差があり、完全に一致していない。これによって、後続の組立調整が可能になる。さらに、マルチグループレンズから撮像モジュールを構成する時、ＡＡアライメントは、結像品質を保証するための重要な一環である。本発明のマルチグループレンズは、隣接する少なくとも二つのグループユニットの間に設置される少なくとも一つの第１のギャップをさらに提供し、第１のギャップとＡＡアライメントとの組み合わせによって、設計パラメータ値と実際の生産値との差による光学結像品質の不一致を補償し、グループユニットの実際の製品の結像品質が予期の光学結像品質の要件を満たさせる。さらに、結像品質を保証するために、マルチグループユニットは一つの全体的なレンズを構成し、安定的に固定し、しかも固定後の結果は固定前と一致しなければならない。これは、レンズまたは撮像モジュール製品の歩留まりを保証する重要な要素の一つでもある。さらに、本発明のマルチグループユニットは、マルチグループユニットが安定的に固定できるように、第１のギャップに設置される接着剤などのような接続媒体を提供する。さらに、本発明は、第１のギャップに連通する第２のギャップを提供し、接続媒体が第１のギャップと第２のギャップの間に移動可能であり、これによって各グループユニット間の相互作用力が小さくなり、予期の取付要件を満たしやすくなり、結像品質を保証することができる。さらに、本発明の一部の実施形態では、グループユニット間に少なくとも一つの調整素子を設置して第１のギャップと第２のギャップを形成し、例えば、グループユニットに一体的に設置し、これによって光学系設計の所定の要件を満たすマルチレンズエレメント光学系は本発明のマルチグループレンズを介して実現され、実際の製造過程に適用され、良好な歩留まりを有することができ、特に、６枚、７枚以上のマルチレンズエレメント光学系の製品の実現に適している。
【００７３】
勿論、本発明は他の改良も提案し、他の多くの利点をもたらしているが、ここでは一々列挙せず、本発明をよりよく理解するために、実施例を例として一部の実施形態を説明する。但し、下記実施形態における具体的な構造は、例示のみを目的としており、本発明の発明構想を制限するものではないと当業者は理解すべきである。
【００７４】
説明および理解を容易にするために、二つのグループユニットで構成されるマルチグループレンズを例として以下のように説明するが、本発明の他の実施形態では、マルチグループレンズは、３つ、４つ以上の、より多くのグループユニットを含んでもよく、各グループユニット間は、本発明の構想によって組み合わせられてもよく、本発明の構想とその他の方式との組み合わせによって組み合わせられてもよい。グループユニットの数は、本発明を限定するものではなく、一つのマルチグループレンズにおいて本発明の構想によって組み合わせる範囲も本発明を限定するものではないと当業者は理解すべきである。
【００７５】
図２から図１１Ｃには、本発明の第１の実施形態に係るマルチグループレンズ１０が示されている。本発明は、例えば、６枚、７枚以上のマルチレンズエレメントを有するレンズに適したマルチグループレンズ１０を提供する。つまり、マルチグループレンズ１０は複数のレンズエレメントを含み、例えば、６枚、７枚以上のレンズエレメントを含む。
【００７６】
マルチグループレンズ１０は、組み立てられて撮像モジュール１００を構成することに適しており、特に組み立てられて高画素の撮像モジュール１００を構成することに適している。
【００７７】
マルチグループレンズ１０は少なくとも二つのグループユニットを含み、二つのグループユニットは共にマルチグループレンズ１０の光学系全体を構成する。つまり、マルチレンズの光学系は、少なくとも二つのグループユニットの組み合わせにより実現するものであり、従来の一体型レンズのように一つの独立したレンズにより実現するものではない。
【００７８】
なお、マルチグループレンズ１０の各グループユニットにおけるレンズエレメントは、需要に合わせて割り当てられて組み合わせることができる。例えば、図２１Ａから図２１Ｅに示される様々な割り当て方式を参照できる。本発明の本実施形態では、その中の一つのみについて説明する。各レンズエレメントの数および割り当て方式は、本発明を制限するものではないと当業者は理解すべきである。
【００７９】
さらに、少なくとも二つの隣接するグループユニット間に第１のギャップ１５があり、マルチグループレンズ１０の光学系が前記光学設計系に適合するように、第１のギャップ１５は、マルチグループレンズ１０と前記光学設計系との差を補償する。
【００８０】
より具体的には、マルチグループレンズ１０は、第１のグループユニット１１と第２のグループユニット１２との二つのグループユニットを含む。第１のグループユニット１１と第２のグループユニット１２とからレンズ全体を構成する場合、第１のグループユニット１１は第２のグループユニット１２の上方に位置し、第１のグループユニット１１と第２のグループユニット１２の光軸は一致している。すなわち、本発明の本実施形態では、マルチグループレンズ１０の光学系は、第１のグループユニット１１と第２のグループユニット１２にそれぞれ対応する二つの光学系で構成されている。つまり、ある程度では、第１のグループユニット１１と第２のグループユニット１２はそれぞれ独立して存在する場合、一つの完全なレンズの機能を実現することができず、第１のグループユニット１１と第２のグループユニット１２を互いに組み合わせる時、結像品質要件を満たせる完全なレンズを構成する。
【００８１】
さらに、第１のグループユニット１１は、第１の載置部材１１１と、少なくとも一つの第１のグループレンズエレメント１１２とを含み、一つの独立した部材を容易に構成するように、第１のグループレンズエレメント１１２は第１の載置部材１１１に取り付けられている。第２のグループユニット１２は、第２の載置部材１２１と、少なくとも一つの第２のグループレンズエレメント１２２とを含み、別の独立した部材を容易に構成するように、第２のグループレンズエレメント１２２は第２の載置部材１２１に取り付けられている。
【００８２】
第１の載置部材１１１は、第１のグループユニット１１と第２のグループユニット１２の光路方向が一致するように、第２の載置部材１２１の上方に設置されている。
【００８３】
第１のグループユニット１１と第２のグループユニット１２との間に第１のギャップ１５があり、第１のグループユニット１１と第２のグループユニット１２とからなるマルチグループレンズ１０の実際の光学系が設計した光学系の結像品質の要求と一致するように、第１のギャップ１５は、マルチグループレンズ１０と光学設計系との差を補償する。
【００８４】
より具体的には、第１の載置部材１１１と第２の載置部材１２１の調整を容易にするように、第１のギャップ１５は第１の載置部材１１１と第２の載置部材１２１との間に位置する。
【００８５】
マルチグループレンズ１０は、接続媒体１４を含み、第１のグループユニット１１と第２のグループユニット１２が安定的に固定されるように接続媒体１４は第１のギャップ１５に設置されている。接続媒体１４は、ＵＶ接着剤、熱硬化性接着剤、ＵＶ熱硬化性接着剤、およびエポキシ樹脂接着剤からなる群より選ばれる一つ以上であってもよいが、これらに限られていない。
【００８６】
マルチグループレンズ１０は、第１のギャップ１５に連通する第２のギャップ１５を有し、これによって、製造過程において接続媒体１４が第１のギャップ１５の対応位置から第２のギャップ１６の対応位置に移動できるようになり、第１のグループユニット１１と第２のグループユニット１２との間の相互作用力を減少させ、相対位置に対する影響を小さくする。
【００８７】
より具体的には、第２のギャップ１６は第１の載置部材１１１と第２の載置部材１２１との間に位置する。
【００８８】
第１のギャップ１５の高さが第２のギャップ１６の高さより大きい。これによって、製造において接続媒体１４が第１のギャップ１５の対応位置から第２のギャップ１６の対応位置に移動できるようになり、しかも大きい収容空間を提供できる。
【００８９】
第１のグループユニット１１と第２のグループユニット１２を組み立てる時、接続媒体１４を第１の載置部材１１１の下方および／または第２の載置部材１２１の上方に設置する。そして、第１のグループユニット１１と第２のグループユニット１２を、それらの相対位置が所定の位置に到達するように所定の位置にしたがって組み立てる。組み合わせる過程において、接続媒体１４は、第１のグループユニット１１と第２のグループユニット１２の相互作用力の下で、例えば、押し付け作用の下で、第１のギャップ１５の位置に対応する部分が第２のギャップ１６に対応する位置に移動する。第２のギャップ１６の高さは第１のギャップ１５の高さより大きいので、接続媒体１４の収容空間が拡大され、第１のギャップ１５の対応位置での元の相互作用力は緩和される。
【００９０】
なお、組立過程において、第１のギャップ１５と第２のギャップ１６の大きさは、第１のグループユニット１１と第２のグループユニット１２とからなるマルチグループレンズ１０により構成される撮像モジュール１００の要求によって決められる。すなわち、組立時に、撮像モジュール１００のフォーカス結果によってギャップの大きさを決め、しかも第１のグループユニット１１と第２のグループユニット１２との相対位置を調整することで、第１のギャップ１５が所定の要件を満たさせる。
【００９１】
また、従来の一体型レンズにおいて、レンズエレメントは逐次に鏡筒に取り付けられ、レンズエレメントの調整可能な範囲は非常に狭く、しかもレンズエレメントが固定されると、レンズエレメントと鏡筒の相対位置が固定される。すべてのレンズエレメントが組み立てられた後、レンズ全体の累積誤差が決定され、調整できなくなる。しかし、本発明において、第１のグループユニット１１と第２のグループユニット１２はそれぞれ独立して構成できるので、互いに影響を与えることはない、第１のグループユニット１１と第２のグループユニット１２はレンズ全体に組み立てられる時、第１のグループユニット１１と第２のグループユニット１２は相対的に調整できるため、さらにレンズを校正してその全体的な誤差を減少させることができ、特に、６軸方向の調整など、立体空間で異なる方向の調整を行うことができる。
【００９２】
マルチグループレンズ１０は、第１のギャップ１５と第２のギャップ１６を形成するように第１のグループユニット１１と第２のグループユニット１２との間に位置する少なくとも一つの調整素子１３を含む。調整素子１３により、第１のグループユニット１１と第２のグループユニット１２との相互の組み合わせ過程における相互影響が低減される。すなわち、第１のグループユニット１１と第２のグループユニット１２は接続媒体１４を介して接続して固定される時、第１のグループユニット１１の平坦な底面全体が接続媒体１４に接触するのではなく、調整素子１３が接続媒体１４に接触することにより、調整素子１３が設置されていない第１のグループユニット１１と比べ、調整素子１３が設置されている第１のグループユニット１１と接続媒体１４との初期接触面積が小さいため、第１のグループユニット１１および／または第２のグループユニット１２を相対的に調整する時の相互作用力が小さい。例えば、相対回転または移動時に、粘性を有する接続媒体１４によってもたらされる相互の引っ張り力は小さい。これによって、その中の一つのグループユニットを調整すると、もう一つのグループユニットに対する影響は小さく、マルチグループレンズ１０がＡＡアライメントされる時、アライメント標準に容易に達することができ、しかもアライメントの結果はより正確になる。
【００９３】
第１の載置部材１１１は、第１の本体１１１１と、第１の本体１１１から外側に延びる外側延伸台１１１２とを含む。特に、外側延伸台１１１２は第１の本体１１１１から水平かつ一体的に外側に延びて、例えば、金型を介して一体的に形成する方式により環状つば構造を形成する。
【００９４】
外側延伸台１１１２は、第１の本体１１１１の外部の、例えば、底部、下部、下部に近い位置、上部、上部に近い位置、および中間位置など、高さの異なる位置に設置されてもよい。本発明の本実施形態では、外側延伸台１１１２は、第１の本体１１１１の外部の中間位置に設置され、第１の本体１１１１を二部分に分け、一つの部分は外側延伸台１１１２の上方に位置し、もう一つの部分は外側延伸台１１１２の下方に位置する。第１のグループユニット１１と第２のグループユニット１２が組み立てられた後、第１の本体１１１１の、外側延伸台１１１２の上方に位置する部分は外部空間にあり、第１の本体１１１１の、外側延伸台１１１２の下方に位置する部分は、第２のグループユニット１２内に延びる。
【００９５】
外側延伸台１１１２は様々な高さに設定できる。例えば、一部の実施形態では、外側延伸台の上面１１１２１が第１の本体１１１１の上端より低いように、より小さい高さを設定する。例えば、一部の実施形態では、外側延伸台の上面１１１２１を第１の本体１１１１の上端と一致させるように、より大きい高さを設定する。これによって、マルチグループレンズ１０の上部が異なる形状を有するようになる。
【００９６】
本発明の本実施形態では、第１の本体１１１１と外側延伸台１１１２は、金型を介して一体的に成形する方式により製造することができる。もう一部の実施形態では、外側延伸台１１１２は、接着方法により第１の本体１１１１に接続することができる。勿論、その他の実施形態では、その他の方式により第１の本体１１１１と外側延伸台１１１２を形成することができる。外側延伸台１１１２が設置される位置、高さ、および第１の本体１１１１と外側延伸台１１１２の固定方式は、本発明を制限するものではないと当業者は理解すべきである。
【００９７】
さらに、本発明の本実施形態では、第１のグループユニット１１の第１のグループレンズエレメント１１２は、第１のレンズエレメント１１２１と、第２のレンズエレメント１１２２と、第３のレンズエレメント１１２３と、第４のレンズエレメント１１２４との四つのレンズエレメントを含む。第１のレンズエレメント１１２１と、第２のレンズエレメント１１２２と、第３のレンズエレメント１１２３と、第４のレンズエレメント１１２４とは、上から下へ順次に配置されている。本発明の本実施形態および図面において、四つのレンズエレメントで構成される第１のグループユニット１１を例として示して説明しているが、本発明の他の実施形態では、第１のグループユニット１１のレンズエレメント数は、例えば、２、３、４、５および５以上のその他の数であってもよい。第１のグループユニット１１のレンズエレメント数は本発明を制限するものではないと当業者は理解すべきである。
【００９８】
第１の本体１１１１は、第１の収容キャビティ１１１１１と、第１の上部光通過孔１１１１２と、第１の下部光通過孔１１１１３とを有する。第１のレンズエレメント１１２１と、第２のレンズエレメント１１２２と、第３のレンズエレメント１１２３と、第４のレンズエレメント１１２４とは、上から下へ順次に第１の収容キャビティ１１１１１に収容されている。
【００９９】
第１の上部光通過孔１１１１２は第１の本体１１１１の上部に位置し、外部と連通して光を第１のグループユニット１１に入らせ、すなわち、外部光を第１の収容キャビティ１１１１１内の第１のレンズエレメント１１２１、第２のレンズエレメント１１２２、第３のレンズエレメント１１２３、および第４のレンズエレメント１１２４に到達させるようになる。
【０１００】
第１の下部光通過孔１１１１３は第１の本体１１１１の下部に位置し、第２のグループユニット１２と連通して第１のグループユニット１１を通過した光を第２のグループユニット１２に到達させるようになる。
【０１０１】
言い換えれば、この実施形態では、第１のレンズエレメント１１２１は第１の上部光通過孔１１１１２に隣接し、第４のレンズエレメント１１２４は第１の下部光通過孔１１１１３に隣接している。
【０１０２】
さらに、本発明の本実施形態では、第２のグループユニット１２の第２のグループレンズエレメント１２２は、第５のレンズエレメント１２２１と、第６のレンズエレメント１２２２と、第７のレンズエレメント１２２３との三つのレンズエレメントを含む。第５のレンズエレメント１２２１と、第６のレンズエレメント１２２２と、第７のレンズエレメント１２２３とは、上から下へ順次に配置されている。本発明の本実施形態および図面において、三つのレンズエレメントで構成される第２のグループユニット１２を例として示して説明しているが、本発明の他の実施形態では、第２のグループユニット１２のレンズエレメント数は、例えば、２、３、４、５および５以上のその他の数であってもよい。第２のグループユニット１２のレンズエレメント数は本発明を制限するものではないと当業者は理解すべきである。
【０１０３】
第２の本体１２１１は、第２の収容キャビティ１２１１１と、第２の上部光通過孔１２１１２と、第２の下部光通過孔１２１１３とを有する。第５のレンズエレメント１２２１と、第６のレンズエレメント１２２２と、第７のレンズエレメント１２２３とは、上から下へ順次に第２の収容キャビティ１２１１１に収容されている。
【０１０４】
第２の上部光通過孔１２１１２は第２の本体１２１１の上部に位置し、第１のグループユニット１１と連通して第１のグループユニット１１を通過した光を第２のグループユニット１２に到達させ、すなわち、光を第２の収容キャビティ１２１１１内の第５のレンズエレメント１２２１、第６のレンズエレメント１２２２、および第７のレンズエレメント１２２３に到達させるようになる。
【０１０５】
第２の下部光通過孔１２１１３は第２の本体１２１１の下部に位置し、外部と連通して第２のグループユニット１２を通過した光を外部に到達させ、例えば、撮像モジュール１００の感光素子２２に到達させる。これによって、第１のグループユニット１１と第２のグループユニット１２とが完全な光学系を形成する。
【０１０６】
すなわち、本発明の本実施形態では、第１のグループユニット１１の第１のレンズエレメント１１２１、第２のレンズエレメント１１２２、第３のレンズエレメント１１２３、および第４のレンズエレメント１１２４、および第２のグループユニット１２の第５のレンズエレメント１２２１、第６のレンズエレメント１２２２、第７のレンズエレメント１２２３と一緒に７つのレンズエレメントから構成される全体的な光学系を構成し、一つの完全なレンズの機能を負う。
【０１０７】
本発明のこの実施形態では、第１のグループユニット１１は少なくとも一つの第１の光路素子１１３を含み、第１の光路素子１１３は、レンズエレメントに所定の光チャネルを形成するようにレンズエレメントに隣接した位置に設置される。例えば、第１の光路素子１１３は、レンズエレメントのエッジ光を遮断してレンズエレメントの中心位置に所定の光チャネルを形成するためのスペーサであってもよい。第１の光路素子１１３は、遮光するようにレンズエレメントの縁部に覆うコーティング層であってもよく、これによってレンズエレメントの中心位置に所定の光チャネルを形成する。言い換えれば、レンズエレメントに所定の光チャネルを形成するように、第１の光路素子１１３は前記レンズエレメントと併用して配置される。
【０１０８】
より具体的には、本発明の本実施形態では、第１のグループユニット１１は、三つの第１の光路素子１１３を含み、第１の光路素子１１３は、それぞれ隣接する二つのレンズエレメント間に設置され、例えば、それぞれ、第１のレンズエレメント１１２１と第２のレンズエレメント１１２２との間、第２のレンズエレメント１１２２と第３のレンズエレメント１１２３との間、および第３のレンズエレメント１１２３と第４のレンズエレメント１１２４との間に設置される。
【０１０９】
第２のグループユニット１２は、少なくとも一つの第２の光路素子１２３を含み、第２の光路素子１２３は、レンズエレメントに所定の光チャネルを形成するようにレンズエレメントに隣接した位置に設置される。例えば、第２の光路素子１２３は、レンズエレメントのエッジ光を遮断してレンズエレメントの中心位置に所定の光チャネルを形成するためのスペーサであってもよい。第２の光路素子１２３は、遮光するようにレンズエレメントの縁部に覆うコーティング層であってもよく、これによってレンズエレメントの中心位置に所定の光チャネルを形成する。
【０１１０】
より具体的には、本発明の本実施形態では、第２のグループユニット１２は、三つの第２の光路素子１２３を含み、第２の光路素子１２３は、それぞれ隣接する二つのレンズエレメント間に設置される。例えば、それぞれ、第４のレンズエレメント１１２４の上部、第４のレンズエレメント１１２４と第５のレンズエレメント１２２１との間、第５のレンズエレメント１２２１と第６のレンズエレメント１２２２との間、および第６のレンズエレメント１２２２と第７のレンズエレメント１２２３との間に設置される。特に、第３のレンズエレメント１１２３と第４のレンズエレメント１１２４との間の光路素子は、第４のレンズエレメント１１２４の上面に設置され、第１のグループと第２のグループとの組み合わせ位置からマルチグループレンズ１０のレンズエレメントに到達する外部光を遮断する。第２の光路素子１２３は、スペーサ、黒色接着剤などの非光透過コーティングであってもよい。第２の光路素子１２３のタイプは、本発明を制限するものではないと当業者は理解すべきである。
【０１１１】
さらに、第２の載置部材１２１は、第２の本体１２１１から内側に延びて第２の上部光通過孔１２１１２を形成する内側延長縁１２１２を含む。特に、内側延長縁１２１２は第２の本体１２１１から内側に一体的に延びて形成され、例えば、金型を介して一体化成形の方式によって製造される。
【０１１２】
本発明の本実施形態では、第１のグループユニット１１の第１の載置部材１１１の第１の本体１１１１は、第２の上部光通過孔１２１１２内に延び、第１のグループユニット１１の第１の載置部材１１１の外側延伸台１１１２は、第２のグループユニット１２の第２の載置部材１２１の内側延長縁１２１２で受けられ、これによって第１のグループユニット１１と第２のグループユニット１２とが協働構造を形成する。
【０１１３】
さらに、第１のギャップ１５と第２のギャップ１６は、第１のグループユニット１１の第１の載置部材１１１の外側延伸台１１１２と第２のグループユニット１２の第２の載置部材１２１の内側延長縁１２１２との間に設置される。
【０１１４】
より具体的には、調整素子１３は外側延伸台１１１２の下方に設置され、第１の載置部材１１１の外側延伸台１１１２と第２の載置部材１２１の内側延長縁１２１２との間に位置する。より具体的には、本発明の本実施形態では、調整素子１３は、外側延伸台１１１２から一体的に下へ延び、調整素子の下面１３１と第２の載置部材の内側延長縁の上面１２１２１との間に第１のギャップ１５を形成、第１の載置部材１１１の外側延伸台の下面１１１２２と第２の載置部材１２１の内側延長縁の上面１２１２１との間に第２のギャップ１６を形成する。
【０１１５】
本発明の別の実施形態では、調整素子１３は接着によって外側延伸台１１１２の下方に設置されてもよく、すなわち、一体成形によらずに外側延伸台１１１２に設置される。
【０１１６】
第１の本体１１１１、外側延伸台１１１２、および調整素子１３は、金型を介して一体成形によって互いに接続してもよく、接着媒体による固定法によって接続してもよい。第１の本体１１１１、外側延伸台１１１２、および調整素子１３の構成材料は同じであってもよく、例えば、いずれもプラスチックであってもよく、異なる材質であってもよい。本発明はこれに限定されていないと当業者は理解すべきである。
【０１１７】
別の一部の実施形態では、調整素子１３は第２のグループユニット１２に設置されてもよい。例えば、調整素子１３は、第２のグループユニット１２の内側延長縁の上面１２１２１に設置され、これによって第１のグループユニット１１の外側延伸台１１１２と第２のグループユニット１２の内側延長縁１２１２との間の空間は、複数の第１のギャップ１５と複数の第２のギャップ１６に分けられる。例えば、調整素子１３の下面１３１と第１のグループユニット１１の外側延伸台の下面１１１２２とが第１のギャップ１５を形成し、第１のグループユニット１１の外側延伸台の下面１１１２２と第２のグループユニット１２の内側延長縁の上面１２１２１との間は第２のギャップ１６が形成される。さらに、この方式では、第１のグループユニット１１と第２のグループユニット１２とが安定的に接続されるように、接続媒体１４を第１のギャップ１５と第２のギャップ１６に設置してもよい。調整素子１３の設置位置は本発明を制限するものではないと当業者は理解すべきである。
【０１１８】
さらに、第１のグループユニット１１と第２のグループユニット１２とが組み合わせられる時の相互作用力が均一になるように、マルチグループレンズ１０は、外側延伸台１１１２の下方に対称的に配置される複数の調整素子１３を含む。複数の調整素子１３により、外側延伸台１１１２と第２のグループユニット１２の内側延長縁１２１２との間の空間は、複数の第１のギャップ１５と複数の第２のギャップ１６に分けられる。
【０１１９】
より具体的には、本発明の本実施形態では、マルチグループレンズ１０は、複数の調整素子１３を含み、例えば、２つ、３つ、４つおよび４つ以上の調整素子１３を含む。各調整素子１３は、外側延伸台１１１２の下方に対称的に設置されている。各調整素子１３は、間隔をおいて外側延伸台１１１２の下方に配置され、第１のグループユニット１１の外側延伸台１１１２と第２のグループユニット１２の内側延長縁１２１２との間の空間を四つの第１のギャップ１５と四つの第２のギャップ１６とに分ける。
【０１２０】
第２の載置部材１２１は外側凸壁１２１３を含み、外側凸壁１２１３は第２の本体１２１１の外部から上方に延びて内側延長縁１２１２と一緒に内側装着溝１２１４を形成する。第１のグループユニット１１の外側延伸台１１１２は内側装着溝１２１４に収容されている。
【０１２１】
本発明の本実施形態では、外側凸壁１２１３は環状壁であり、それ相応に、内側装着溝１２１４は環状溝である。環状の外側凸壁１２１３の設置により、接続媒体１４の収容空間が形成され、これによって、第１のグループユニット１１と第２のグループユニット１２は垂直方向に接続されて固定され、接続がより安定し、接続媒体１４は外部に溢れ出ることはない。
【０１２２】
本発明の他の実施形態では、外側凸壁１２１３は、例えば、間隔を置いた突起構造などの他の構造であってもよいが、外側凸壁１２１３の構造は本発明を制限するものではないと当業者は理解すべきである。勿論、他の実施形態では、外側凸壁１２１３を設置しなくてもよい。図２０を参照にして、本発明の第４の実施形態では、第２の載置部材１２１は外側凸壁１２１３を含まない。すなわち、第２のグループユニット１２の上面は平坦であり、平坦で伸びた平面である。
【０１２３】
外側凸壁１２１３と第１のグループユニット１１の第１の載置部材１１１の外側延伸台１１１２との間に第３のギャップ１７があり、それによって第１のグループユニット１１と第２のグループユニット１２との組立が容易になる。
【０１２４】
例えば、一部の実施形態では、接続媒体１４は第３のギャップ１７に設置され、それによって第１のグループユニット１１と第２のグループユニット１２との接続がより安定した。一部の実施形態では、接続媒体１４はＵＶ接着剤であり、第３のギャップ１７は外部と連通し、接続媒体１４により大きい露出領域を提供し、それによって接続媒体１４がより迅速に安定した性能に達する。
【０１２５】
なお、本発明では、外側延伸台１１１２は第１の本体１１１１を、本体上部１１１１５と本体下部１１１１６との二つの部分に分け、本体上部１１１１５は外側延伸台１１１２の上方に位置し、本体下部１１１１６は外側延伸台１１１２の下方に位置する。第１のグループユニット１１と第２のグループユニット１２が組み合わせる時、本体下部１１１１６は、第１のグループユニット１１の第２の上部光通過孔１２１１２内に延び、外側延伸台１１１２は、第２のグループユニット１２と内側延長縁１２１２の上方に延びる。例えば、外側延伸台１１１２は、第２のグループユニット１２の内側延長縁１２１２に支持され、しかも外側延伸台１１１２は、第２の本体１２１１ユニットの外側凸壁１２１３と内側延長縁１２１２とから形成される内側装着溝１２１４に収容される。これによって、第１のグループユニット１１と第２のグループユニット１２との間は協働構造が形成され、第１のグループユニット１１と第２のグループユニット１２とが安定して相互に協働して組み立てられて全体的なレンズを構成する。
【０１２６】
第１のグループユニット１１と第２のグループユニット１２との協働構造は多くの利点を有する。例えば、第１の本体１１１１の本体下部１１１１６は第２の上部光通過孔１２１１２内に延び、第２の上部光通過孔１２１１２は第１の本体１１１１の位置を制限するので、第１のグループユニット１１と第２のグループユニット１２とがより容易に且つ正確に組み立てられる。第１の本体１１１１は第２のグループユニット１２内に延び、これによって第１のグループユニット１１のレンズエレメントと第２のグループユニット１２のレンズエレメントとの距離が短くなり、光学全長が短縮される。マルチグループレンズ１０の光学系が光学設計系の要求に適合するように、第１の本体１１１１は、第１のグループユニット１１の最も底部に位置するレンズエレメントと第２のグループユニット１２の頂部に位置するレンズエレメントとの間のギャップに延びて深く制御し、例えば、第４のレンズエレメント１１２４と第５のレンズエレメント１２２１との間のギャップが所定の要件を満たすように第４のレンズエレメント１１２４と第５のレンズエレメント１２２１との間のギャップを制御する。外側延伸台１１１２は内側延長縁１２１２の上部に延び、内側延長縁１２１２を介して外側延伸台１１１２に支持を提供することができ、すなわち、第１のグループユニット１１が第２のグループユニット１２に安定的に支持されるようにすることができ、さらに、外側延伸台１１１２が設置される位置を通して、第１のグループユニット１１が第２のグループユニット１２内に延びる深さを調整することができる。第１のグループユニット１１は第２のグループユニット１２内に延び、第１のグループユニット１１の第１の本体１１１１を介して、第１のグループユニット１１と第２のグループユニット１２との組み合わせ位置からマルチグループレンズ１０の内部に入る外部迷光を遮断し、よい遮光効果を有する。外側凸壁１２１３は、接続媒体１４が外部に拡散することを防ぐために外側延伸台１１１２の外部に位置し、外側凸壁１２１３は、第１のグループユニット１１と第２のグループユニット１２との組み合わせ位置からマルチグループレンズ１０の内部に入る外部迷光をさらに阻止する。
【０１２７】
なお、第１のグループユニット１１の本体下部１１１１６と第２のグループユニット１２の内側延長縁１２１２との間には、第１のグループユニット１１と第２のグループユニット１２の位置を水平方向で調節するための第４のギャップ１８がある。さらに、第１のグループユニット１１の外側延伸台１１１２と第２のグループユニット１２の外側凸壁１２１３との間に第３のギャップ１７があるので、第１のグループユニット１１と第２のグループユニット１２との相対的位置は、空間内で自由に相対的に調整することができ、例えば、６軸空間内で互いに調整可能であり、また、一定の傾斜角度の範囲内で調整することもできる。これから見ると、第１のグループユニット１１と第２のグループユニット１２の調整範囲は広いため、第１のグループユニット１１と第２のグループユニット１２の光軸を一致させることが容易であり、および／または、第１のグループユニット１１と第２のグループユニット１２とからなる光学系を所定の要求に適合させ、結像品質を向上させるのが容易である。これらは、従来の一体型レンズでは達成できないことである。
【０１２８】
さらに、本発明の別の一部の実施形態では、第１のグループユニット１１の第１の本体１１１１は、第１の本体１１１１の底部位置に設置される少なくとも一つの第１の補強溝を有してもよい。第１の補強溝は、下端に位置するレンズエレメントを補強固定するための接着媒体を収容する。例えば、本発明の本実施形態では、第１の補強溝は第４のレンズエレメント１１２４の対応位置に設置され、第１の補強溝内に接着媒体を設置して第４のレンズエレメント１１２４を補強固定する。接着媒体と接続媒体１４は同じ材料であってもよく、異なる材料であってもよい。接続媒体１４と接着媒体の材質は本発明を制限するものではないと当業者は理解すべきである。
【０１２９】
さらに、別の一部の実施形態では、レンズエレメントに均一に応力がかかるように、第１の本体１１１１は、第１の本体１１１１の底部位置に間隔を置いて対称的に分布する複数の第１の補強溝を有してもよい。例えば、四つの第１の補強溝は、第１の本体１１１１の底部位置に対称的に分布する。勿論、第１の補強溝の数は他の数であってもよく、第１の補強溝は台形、半円形、角形、三角形、多角形などの異なる形状であってもよい。また、第１の補強溝は、環状の連通溝であってもよい。第１の補強溝の具体的な形および数は本発明を制限するものではないと当業者は理解すべきである。また、第１の補強溝は、第１の本体１１１１を貫通する補強固定孔であってもよく、その補強固定孔に接着媒体を設置することで第４のレンズエレメント１１２４を補強固定する。
【０１３０】
さらに、本発明の別の一部の実施形態では、第２のグループユニット１２の第２の本体１２１１は、第２の本体１２１１の底部位置に設置される少なくとも一の第２の補強溝を有してもよい。第２の補強溝は、下端に位置するレンズエレメントを補強固定するための接着媒体を収容する。例えば、本発明の本実施形態では、第２の補強溝は第７のレンズエレメント１２２３の対応位置に設置され、第２の補強溝内に接着媒体を設置して第７のレンズエレメント１２２３を補強固定する。接着媒体と接続媒体１４は同じ材料であってもよく、異なる材料であってもよい。接続媒体１４と接着媒体の材質は本発明を制限するものではないと当業者は理解すべきである。
【０１３１】
さらに、別の一部の実施形態では、第２の本体１２１１は、第１の本体１１１１の底部位置に間隔を置いて対称的に分布する複数の第２の補強溝を有してもよい。例えば、四つの補強溝は、第２の本体１２１１の底部位置に対称的に分布する。勿論、第２の補強溝の数は他の数であってもよく、第２の補強溝は台形、半円形、角形、三角形、多角形などの異なる形状であってもよい。また、第２の補強溝は、環状の連通溝であってもよい。第２の補強溝の具体的な形および数は本発明を制限するものではないと当業者は理解すべきである。また、第２の補強溝は、第２の本体１２１１を貫通する補強固定孔であってもよく、その補強固定孔に接着媒体を設置することで第７のレンズエレメント１２２３を補強固定する。
【０１３２】
さらに、第１のグループユニット１１と第２のグループユニット１２はそれぞれ、第１のグループユニット１１と第２のグループユニット１２の底部に位置するレンズエレメント、例えば、第４のレンズエレメント１１２４と第７のレンズエレメント１２２３をそれぞれ固定するための締付リング１９を含んでもよい。言い換えれば、締付リング１９は、レンズエレメントの下部からレンズエレメントを支持して固定するように、底部に位置するレンズエレメントに隣接する位置に設置される。
【０１３３】
例えば、図９を参照にして、第１のグループユニット１１の組立過程は次の通りであってもよい。すなわち、まず、第１の載置部材１１１を組立作業台面に逆立ててから、第１のレンズエレメント１１２１が第１の収容キャビティ１１１１１に収容されるように、第１のレンズエレメント１１２１を第１の載置部材１１１の対応位置に組み立て、調整よって第１のレンズエレメント１１２１の位置が所定の要求を満たさせてから固定し、次に第１の光路素子１１３を第１のレンズエレメント１１２１の対応位置に設置し、続いて第２のレンズエレメント１１２２、もう一つの光路素子１１３、第３のレンズエレメント１１２３、もう一つの光路素子１１３、および第４のレンズエレメント１１２４を組み立てる。第４のレンズエレメント１１２４を組み立てた後、第４のレンズエレメント１１２４の対応位置の第１の補強溝に接着剤などの接着媒体を入れて第４のレンズエレメント１１２４を補強固定し、これによって第１の本体１１１１の底部に位置する第４のレンズエレメント１１２４が安定して接続される。締付リング１９を設置してから締付リング１９の位置に接着媒体を使用して固定してもよい。これによって、第１のグループユニット１１の組立が完成される。
【０１３４】
なお、明確に説明するために、本発明の本実施形態および図面では、四枚のレンズエレメントを有する第１のグループユニット１１と三枚のレンズエレメントを有する第２のグループユニット１２とからなるマルチグループレンズ１０を例として説明しているが、本発明の他の実施形態では、第１のグループユニット１１は、例えば、１枚、２枚、または３枚以上など、その他の数のレンズエレメントを含んでもよく、第２のグループユニット１２は、例えば、１枚、２枚、または３枚以上など、その他の数のレンズエレメントを含んでもよい。各レンズエレメントは同じレンズエレメントであってもよく、光学系の要件に応じて設計された異なるレンズエレメントであってもよい。
【０１３５】
組み立てて第１のグループユニット１１と第２のグループユニット１２とを得た後、第１のグループユニット１１と第２のグループユニット１２を組み立てて本発明のマルチグループレンズ１０を得ることができる。マルチグループレンズ１０は、単独に組み立てられて形成されてもよく、撮像モジュール１００を組み立てる過程において形成されてもよい。
【０１３６】
例えば、一方式では、マルチグループレンズ１０の組立過程は下記の通りであってもよい。
まず、ＵＶ熱硬化性接着剤などの接続媒体１４を第２のグループユニット１２の内側装着溝１２１４内に塗布し、第１のグループユニット１１を第２のグループユニット１２に重ね継ぎ、しかも第１のグループユニット１１と第２のグループユニット１２の位置を互いに合うようにし、例えば、第１のグループユニット１１の外側延伸台１１１２を第２のグループユニット１２の内側装着溝１２１４に対応させ、第１の本体１１１１の本体下部１１１１６は第２のグループユニット１２の第２の上部光通過孔１２１１２内に延びる。そして、第１のグループユニット１１と第２のグループユニット１２に対してアクティブアライメントを行って第１のグループユニット１１と第２のグループユニット１２の光軸を一致にさせる。さらに、接続媒体１４を第３のギャップ１７に設置してもよい。次いで、第１のグループユニット１１と第２のグループユニット１２を予備固定する。例えば、第３のギャップ１７に紫外線を照射して接続媒体１４を予備硬化させる。最後に、第１のグループユニット１１と第２のグループユニット１２を硬化させて固定する。例えば、第１のグループユニット１１と第２のグループユニット１２を加熱、焼き付けにより固定する。これにより、マルチグループレンズ１０が得られる。このような方法により、より多くのグループユニットを含むマルチグループレンズ１０を組み立てることができる。
【０１３７】
例えば、別方式では、マルチグループレンズ１０の組立過程は下記の通りであってもよい。
まず、第１のグループユニット１１と第２のグループユニット１２に対してアクティブアライメントを行って第１のグループユニット１１と第２のグループユニット１２との相対位置を決定する。次に、接続媒体１４を第２のグループユニット１２の内側装着溝１２１４に塗布してから、第１のグループユニット１１と第２のグループユニット１２をアクティブアライメント後の位置に設置する。さらに、第１のグループユニット１１と第２のグループユニット１２を予備固定し、例えば、紫外線を照射する。最後に、第１のグループユニット１１と第２のグループユニット１２を固定する。例えば、第１のグループユニット１１と第２のグループユニット１２を加熱、焼き付けにより固定する。
【０１３８】
図１０は、本発明の上記実施形態に係るマルチグループレンズ１０の第２のグループユニット１２の組立過程の模式図を示したものである。第２のグループユニット１２の固定組立を容易に行うため、本発明は、第２のグループユニット１２の上端部構造と合う組立治具４００を提供し、これによって、第２のグループユニット１２の第２の本体１２１１が逆立つ時でも安定して支持されることができる。
【０１３９】
組立治具４００は、第２のグループユニット１２の第２の載置部材１２１の内側装着溝１２１４と合う軸受突起４０１を有する。これによって、第２の載置部材１２１が組み立て治具４００に逆立つ時、軸受突起４０１は内側装着溝１２１４に収容され、第２の載置部材１２１の内側延長縁１２１２に支持され、逆立って安定的に第２の載置部材１２１を支持する。
【０１４０】
軸受突起４０１は、環状の内側装着溝１２１４に対応する環状構造であってもよい。勿論、内側装着溝１２１４はその他の構造である場合、軸受突起４０１はそれ相応の構造であってもよい。
【０１４１】
例えば、第２のグループユニット１２の組立過程は下記の通りであってもよい。すなわち、まず、第２のグループユニット１２の第２の載置部材１２１を組立治具４００に逆立たせ、第２の光路素子１２３を第２の載置部材１２１内に取り付け、第５のレンズエレメントを第２の載置部材１２１内に取り付けてから、順にもう一つの光路素子、第６のレンズエレメント１２２２、もう一つの光路素子、および第７のレンズエレメント１２２３を組み立てる。第７のレンズエレメント１２２３の組立が完成された後、第７のレンズエレメント１２２３を補強固定するために第２の補強溝に接続媒体を施す必要がある。
【０１４２】
図１１Ａから１１Ｃを参照にして、接続媒体１４は異なる形態として実施することができる。一形態では、図１１Ａを参照にして、接続媒体は主に、第１のグループユニット１１の外側延伸台１１１２と第２のグループユニット１２の内側延長縁１２１２との間、および第１のグループユニット１１の外側延伸台１１１２と第２のグループユニット１２の外側凸壁１２１３との間に設置される。すなわち、接続媒体１４は、第１のギャップ１５と第２のギャップ１６および第３のギャップ１７に設置される。
【０１４３】
別形態では、図１１Ｂを参照にして、接続媒体１４は主に、第１のグループユニット１１の外側延伸台１１１２と第２のグループユニット１２の内側延長縁１２１２との間に設置される。すなわち、接続媒体１４は、第１のギャップ１５と第２のギャップ１６に設置される。
【０１４４】
一形態では、図１１Ｃを参照にして、接続媒体１４は主に、第１のグループユニット１１の外側延伸台１１１２と第２のグループユニット１２の外側凸壁１２１３との間に設置される。すなわち、接続媒体１４は、第３のギャップ１７に設置される。
【０１４５】
なお、接続媒体１４の設置位置は、マルチグループレンズ１０およびマルチグループレンズから構成される撮像モジュール１００の組立方法に関係している。例えば、図１１Ａに示す形態では、まず、第１のグループユニット１１と第２のグループユニット１２に対してＡＡアライメントを行ってから、接続媒体１４を第２のグループユニット１２に設置し、第１のグループユニット１１と第２のグループユニット１２を組み立てた後、接続媒体１４を第３のギャップ１７に設置してさらに固定し、これによって、第１のギャップ１５、第２のギャップ１６、および第３のギャップ１７はいずれも接続媒体１４により充填される。つまり、この形態では、まずＡＡアライメントを行い、そして、接着剤を塗布して固定し、さらに接着剤を補足して固定を強化する。例えば、図１１Ｂでは、まず第１のグループユニット１１と第２のグループユニット１２に対してＡＡアライメントを行ってから、接続媒体１４を第２のグループユニット１２に設置し、第１のグループユニット１１と第２のグループユニット１２を組み立てた後、接続媒体１４を第３のギャップ１７に設置しない。これによって、第１のギャップ１５と第２のギャップ１６だけが接続媒体１４により充填される。例えば、図１１Ｃでは、ＡＡアライメントの過程において、直接に接続媒体１４を第３のギャップ１７に施して第１のグループユニット１１と第２のグループユニット１２を接続して固定する。
【０１４６】
以下のように理解できる。すなわち、第１のギャップ１５、第２のギャップ１６、および第３のギャップ１７の中の接続媒体１４の充填量は、本発明を制限するものではない。上記実施形態および図面において、接続媒体１４が存在可能な位置について例を挙げて説明しているが、それは絶対的なものではなく、具体的な製造過程において、接続媒体１４の設置量および設置位置によって、第１のギャップ１５、第２のギャップ１６、および第３のギャップ１７の内の一つまたは複数の位置を充填する可能性がある。
【０１４７】
図１２には、本発明のマルチグループレンズ１０から構成される撮像モジュール１００が示されている。撮像モジュール１００は、マルチグループレンズ１０と、感光アセンブリ２０と、レンズ載置素子３０と、光フィルター素子４０とを含む。
【０１４８】
マルチグループレンズ１０はレンズ載置素子３０に取り付けられ、光フィルター素子４０は、マルチグループレンズ１０と感光アセンブリ２０との間に設置され、これによって、マルチグループレンズ１０を通過する光は光フィルター素子４０によりフィルタリングされる。マルチグループレンズ１０が感光アセンブリ２０の感光経路に位置するように、レンズ載置素子３０は感光アセンブリ２０に取り付けられる。
【０１４９】
一部の実施形態では、オートフォーカス撮像モジュールを構成するように、レンズ載置素子３０は、圧電モーターやボイスコイルモーターなどの駆動素子であってもよい。レンズ載置素子３０は駆動素子である場合、感光アセンブリ２０から駆動エネルギーを得るように、レンズ載置素子３０は感光アセンブリ２０に電気的に接続される。
【０１５０】
一部の実施形態では、固定焦点撮像モジュール１００を構成するために、レンズ載置素子３０は固定素子であってもよい。
【０１５１】
勿論、一部の実施形態では、レンズ載置素子３０を設置せずに、マルチグループレンズ１０を直接に感光アセンブリ２０に取り付けて固定焦点撮像モジュール１００を構成してもよい。
【０１５２】
本発明の本実施形態では、感光アセンブリ２０は、回路基板２１と、感光素子２２と、レンズホルダ２３とを含む。光電変換を完成するように、感光素子２２は回路基板２１に電気的に接続されている。例えば、一部の実施形態では、感光素子２２は、表面実装プロセスＳＭＴを介して回路基板２１に取り付けられ、しかも接続金線を介して回路基板２１に電気的に接続される。一部の実施形態では、感光素子２２は、フリップチップ（Ｆｌｉｐ  Ｃｈｉｐ）によって回路基板２１に設置されてもよい。勿論、感光素子２２と回路基板２１トは他の構造関係を有してもよいが、本発明はこれに限定されない。
【０１５３】
光フィルター素子４０はレンズホルダ２３に取り付けられ、感光素子２２の上方に位置する。レンズホルダ２３は回路基板２１に取り付けられている。レンズ載置素子３０を介して取付位置を提供するように、レンズ載置素子３０はレンズホルダ２３に取り付けられている。
【０１５４】
例えば、一部の実施形態では、図１３を参照にして、撮像モジュール１００の組立過程は下記通りであってもよい。まず、感光アセンブリ２０を形成する。例えば、感光素子、回路基板２１、およびレンズホルダ２３を組み立てて感光アセンブリ２０を形成する。次に、第２のグループユニット１２をレンズ載置素子３０に組み立てる。さらに、第２のグループユニット１２を備えるレンズ載置素子３０を感光アセンブリ２０に取り付け、例えば、接着によって感光アセンブリ２０に固定し、そして、第１のグループユニット１２を第２のグループユニット１１に設置し、マルチグループレンズに対してＡＡアライメントを行って第１のグループユニット１１と第２のグループユニット１２との相対位置を決定し、その相対位置を記録する。さらに、第１のグループユニット１１と第２のグループユニット１２を安定的に固定するように、第１のグループユニット１１と第２のグループユニット１２との間に接続媒体１４を設置する。これによって、接続媒体１４は押し付けられ、第１のグループユニット１１と第２のグループユニット１２とから形成される第１のギャップ１５、第２のギャップ１６、および第３のギャップ１７に充填される。さらに、接続媒体１４の固定硬化過程に供してもよい。例えば、第３のギャップ１７を通して接続媒体１４に紫外線を照射し、接続媒体１４を焼き付けて固定し、さらに、第１のグループユニット１１と第２のグループユニット１２は接続媒体１４を介して安定的に接続され、固定される。とりわけ、第１の載置部材１１１が駆動部材である場合、第１の載置部材１１１が感光アセンブリ２０から駆動エネルギーを得るように、第１の載置部材１１１を感光アセンブリ２０に電気的に接続する必要がある。
【０１５５】
つまり、この組立方式では、マルチグループレンズ１０は、撮像モジュール１００の組立過程において同時に組み立てられる。また、撮像モジュール１００を組み立てる時、第１のグループユニット１１と第２のグループユニット１２との相対位置を調整することで撮像モジュール１００に対して光学アライメントを行うことができる。すなわち、マルチグループレンズ１０を調整することで撮像モジュール１００の結像品質を所定の標準に適合させる。これは、従来の一体型レンズから構成される撮像モジュール１００においては全く実現できないことである。
【０１５６】
なお、ＡＡアライメントを行う時、第１のグループユニット１１を調整することでＡＡアライメントを行ってもよく、第２のグループユニット１２と感光アセンブリ２０とからなるアセンブリ全体を調整することでＡＡアライメントを行ってもよい。つまり、第１のグループユニット１１は第２のグループユニット１２に取り付けられると、二つの独立した全体アセンブリを形成して撮像モジュール１００を構成し、上の部分を調整することでＡＡアライメントを完成してもよく、下の部分を調整することでＡＡアライメントを完成してもよい。勿論、二つの部分を同時に調整することでＡＡアライメントを完成してもよい。ＡＡアライメントの過程における調整対象、例えば、第１のグループユニット１１及び／または第２のグループユニット１２は、本発明を制限するものではないと当業者は理解すべきである。
【０１５７】
もう一部の実施形態では、図１４を参照にして、撮像モジュール１００の組立過程は下記通りであってもよい。すなわち、まず、第１のグループユニット１１と第２のグループユニット１２とを組み立ててマルチグループレンズ１０を形成してから、マルチグループレンズ１０を第１の載置部材１１１に組み立て、そして、マルチグループレンズ１０を備えた第１の載置部材１１１と感光アセンブリ２０を組み立てる時にＡＡアライメントを行う。撮像モジュール１００の組立フローの順序は本発明を制限するものではないと当業者は理解すべきである。
【０１５８】
なお、図１５を参照にして、組立過程において、所定量の接続媒体１４は、第２のグループユニット１２の上面、すなわち、内側延長縁の上面１２１２１に設置され、第１のグループユニット１１は第２のグループユニット１２に組み立てられる時、第１のグループユニット１１と第２のグループユニット１２との間のギャップおよび接続媒体１４は、第１のグループユニット１１と第２のグループユニット１２との相互作用下で徐々に変化し、最後に距離が決まった第１のギャップ１５、第２のギャップ１６、および第３のギャップ１７を形成する。例えば、第１のグループユニット１１が第２のグループユニット１２に近づく過程において、第１のグループユニット１１の外側延伸台１１１２の下方の調整素子１３の下面１３１は先に接続媒体１４に接触する。第１のグループユニット１１が第２のグループユニット１２にだんだん近づくにつれ、接続媒体１４は調整素子１３の作用下で移動し、第２のギャップ１６が位置する空間まで拡張し、第１のギャップ１５がＡＡアライメント時の予定範囲を満たすまで第２のギャップ１６を充填する。すなわち、第１のグループユニット１１を、ＡＡアライメント時の記録位置に到達させる。以下のように理解できる。この過程において、第１のギャップ１５、第２のギャップ１６、第３のギャップ１７、および第４のギャップ１８は互いに連通しているため、接続媒体１４は、第１のギャップ１５、第２のギャップ１６、第３のギャップ１７、および第４のギャップ１８間に移動することができる。また、接続媒体１４が弾性を有するため、第１のグループユニット１１と第２のグループユニット１２との相互作用力は比較的に緩和される。また、調整素子１３は、第１のグループユニット１１と第２のグループユニット１２との相互作用の接触面積を減少させ、その結果、第１のグループユニット１１と第２のグループユニット１２を組み立てる時、第１のグループユニット１１及び／または第２のグループユニット１２の保持位置への影響は小さいため、予めのＡＡアライメントの相対位置により近い。より多くの接続媒体１４が施されると、接続媒体１４は第１のグループユニット１１と第２のグループユニット１２によりよい緩衝効果を提供し、しかも第２のギャップ１６は接続媒体１４に収容空間を提供するので、第１のギャップ１５の位置の距離は、予め確定したＡＡアライメント位置に対応する距離、例えば、短い距離、に達することができる。また、接続媒体１４の移動のため、接続媒体１４は、第１のグループユニット１１と第２のグループユニット１２に対して大きな抵抗を生じることはない。
【０１５９】
調整素子１３および第１のギャップ１５ト第２のギャップ１６の設置により、マルチグループレンズ１０およびマルチグループレンズ１０から構成される撮像モジュール１００に対して、実際の生産製造においてＡＡアライメントを行うことができ、しかもよいＡＡアライメント効果を達成でき、マルチグループレンズ１０と撮像モジュール１００の歩留まりを高め、大量生産応用に適する。
【０１６０】
図１６から図１７Ｂには、本発明の第２の実施形態に係るマルチグループレンズ１０が示されている。この実施形態では、第２の載置部材１２１は内側凸壁１２１５を含み、内側凸壁１２１５は第２の本体１２１１の外部から上方に延びて内側延長縁１２１２と一緒に外側装着溝１２１６を形成する。第１のグループユニット１１の外側延伸台１１１２は外側装着溝１２１６に収容されている。すなわち、内側凸壁１２１５は第２の載置部材１２１の内側延長縁１２１２から部分的に上方に延び、外部と連通する外側装着溝１２１６を形成する。
【０１６１】
本発明の本実施形態では、内側凸壁１２１５は環状壁であり、それ相応に、外側装着溝１２１６は環状溝である。本発明の他の実施形態では、内側凸壁１２１５は、例えば、間隔を置いた突起構造などの他の構造であってもよいが、凸壁の構造は本発明を制限するものではないと当業者は理解すべきである。
【０１６２】
さらに、調整素子１３は、第１のグループユニット１１の第１の載置部材１１１の外側延伸台１１１２の下方に設置され、外側延伸台１１１２から部分的に下方に延びる。
【０１６３】
さらに、調整素子１３は、外側延伸台１１１２の外側に近い部分から下方に延びる。つまり、この形態では、第２のグループユニット１２の第２の載置部材１２１の構造と合致するように、調整素子１３と第１の本体１１１１の外壁との間にはギャップがあり、一体的に接続されているのではない。具体的には、第２のグループユニット１２の第２の載置部材１２１の内側凸壁１２１５を収容するように、外側延伸台１１１２と第１の本体１１１１とがＵ字型構造を形成する。
【０１６４】
第１のグループユニット１１と第２のグループユニット１２との組立調整のため、第１の本体１１１１の下部と内側凸壁１２１５との間には第４のギャップ１８がある。
【０１６５】
図１８と図１９には、本発明の第３の実施形態に係るマルチグループレンズ１０が示されている。この実施形態では、ＡＡアライメントを通してマルチグループユニットの実際生産値と光学設計との差を補償して結像品質が光学設計の要件を満たすように、第１のグループユニット１１の第１の載置部材１１１の外側延伸台１１１２と第２のグループユニット１２の第２の載置部材１２１の内側延長縁１２１２とから第１のギャップ１５が形成され、接続媒体１４は第１のギャップ１５に設置される。
【０１６６】
さらに、第２のグループユニット１２の第２の載置部材１２１の表面は伸びた平面であり、外側延伸台１１１２と係り合う。
【０１６７】
つまり、この実施形態では、第１のグループユニット１１には明らかな調整素子１３はなく、外側延伸台１１１２の高さによって第１のグループユニット１１と第２のグループユニット１２との高さの組み合わせ関係、および第１のギャップ１５の形成位置を制御している。
【０１６８】
言い換えれば、第２のグループユニット１２は外側凸壁１２１３を有しないため、第２のグループユニット１２の上面は、平坦で伸びた平面構造を形成する。
【０１６９】
この実施形態では、マルチグループレンズ１０の組立方法は下記通りであってもよい。まず、第２のグループユニット１２の上面、すなわち、内側延長縁１２１２の上面に接続媒体１４を設置してから、第１のグループユニット１１が第２のグループユニット１２内に延びるように第１のグループユニット１１を第２のグループユニット１２に設置する。さらに、第１のグループユニット１１と第２のグループユニット１２から構成されるマルチグループレンズ１０の結像品質が所定の要求を満たすように、すなわち、第１のギャップ１５が補償差の要件を満たすように、第１のグループユニット１１及び／または第２のグループユニット１２に対してＡＡアライメントを行う。そして、第１のグループユニット１１が第２のグループユニット１２に安定的に接続されるように、接続媒体１４を硬化させる。
【０１７０】
図２１Ａから２１Ｅを参照にして、上記実施形態および図面では、第１のグループユニット１１が４枚のレンズエレメントを含み、第２のグループユニット１２が３枚のレンズエレメントを含むことを例として説明したが、本発明の他の実施形態では、第１のグループユニット１１と第２のグループユニット１２のレンズエレメント数は、その他の数であってもよい。
【０１７１】
例えば、一形態では、第１のグループユニット１１は３枚のレンズエレメントを含み、それぞれ第１のレンズエレメント１１２１、第２のレンズエレメント１１２２、および第３のレンズエレメント１１２３である。第２のグループユニット１２は４枚のレンズエレメントを含み、それぞれ第４のレンズエレメント１１２４、第５のレンズエレメント１２２１、第６のレンズエレメント１２２２、および第７のレンズエレメント１２２３である。第１のレンズエレメント１１２１、第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３は、７枚のレンズエレメントを有する光学系を構成する。
【０１７２】
例えば、一形態では、第１のグループユニット１１は６枚のレンズエレメントを含み、それぞれ第１のレンズエレメント１１２１、第２のレンズエレメント１１２２、第３のレンズエレメント１１２３、第４のレンズエレメント１１２４、第５のレンズエレメント１２２１、および第６のレンズエレメント１２２２である。第２のグループユニット１２は、第７のレンズエレメント１２２３を含む。第１のレンズエレメント１１２１、第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３は、７枚のレンズエレメントを有する光学系を構成する。
【０１７３】
例えば、一形態では、第１のグループユニット１１は、第１のレンズエレメント１１２１を含み、第２のグループユニット１２は６枚のレンズエレメントを含み、それぞれ第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３である。第１のレンズエレメント１１２１、第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３は、７枚のレンズエレメントを有する光学系を構成する。
【０１７４】
例えば、一形態では、第１のグループユニット１１は５枚のレンズエレメントを含み、それぞれ第１のレンズエレメント１１２１、第２のレンズエレメント１１２２、第３のレンズエレメント１１２３、第４のレンズエレメント１１２４、および第５のレンズエレメント１２２１である。第２のグループユニット１２は２枚のレンズエレメントを含み、それぞれ、第６のレンズエレメント１２２２、および第７のレンズエレメント１２２３である。第１のレンズエレメント１１２１、第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３は、７枚のレンズエレメントを有する光学系を構成する。
【０１７５】
例えば、一形態では、第１のグループユニット１１は２枚のレンズエレメントを含み、それぞれ第１のレンズエレメント１１２１、および第２のレンズエレメント１１２２である。第２のグループユニット１２は５枚のレンズエレメントを含み、それぞれ、第３のレンズエレメント１１２３、第４のレンズエレメント１１２４、第５のレンズエレメント１２２１、第６のレンズエレメント１２２２、および第７のレンズエレメント１２２３である。第１のレンズエレメント１１２１、第２のレンズエレメント１１２２、第３のレンズエレメント１１２３、第４のレンズエレメント１１２４、第５のレンズエレメント１２２１、第６のレンズエレメント１２２２、および第７のレンズエレメント１２２３は、７枚のレンズエレメントを有する光学系を構成する。
【０１７６】
本発明の他の実施形態では、異なるレンズエレメント数を有するマルチグループレンズ１０を形成するように、第１のグループユニット１１と第２のグループユニット１２は、その数の組み合わせであってもよい。マルチグループユニットの各グループユニットのレンズエレメント数および構成される総レンズエレメント数は、本発明を制限するものではないと当業者は理解すべきである。
【０１７７】
つまり、７枚のレンズエレメントを有するマルチグループレンズ１０の第１のグループユニット１１と第２のグループユニット１２のレンズエレメント数は、組み合わせ（４，３）、（３，４）、（６，１）、（１，６）、（５，２）、（２，５）からなる群より選ばれる一つであってもよい。勿論、マルチグループレンズエレメントの総レンズエレメント数はその他の数である場合、その他のグループユニットのレンズエレメント数の組み合わせであってもよい。
【０１７８】
図２２を参照にして、マルチグループレンズ１０は、類型の異なる撮像モジュール１００に組み立てられて適用されることができ、撮像モジュール１００は電子機器２００に適用されることができる。電子機器２００として、スマートフォン、ウェアラブルデバイス、コンピューターデバイス、テレビ、交通機関、カメラ、およびモニタリング装置などが挙げられるが、これらに限られていない。電子機器２００は、電子機器本体３００を含んでもよい。撮像モジュール１００は電子機器本体３００に取り付けられ、電子機器本体３００と協力して画像の収集と再生を完成する。
【０１７９】
上記記載および図面に示された本発明の実施例は例示に過ぎず、本発明を限定するものではないと当業者は理解すべきである。本発明の目的は完全で効果的に実現されている。本発明の機能および構造の原理は実施例において開示および説明されており、前記原理に反しなければ、本発明の実施形態について如何なる変形または改善をすることができる。
【図１】
2020523632.tif 000003
【図２】
2020523632.tif 000004
【図３】
2020523632.tif 000005
【図４Ａ】
2020523632.tif 000006
【図４Ｂ】
2020523632.tif 000007
【図５】
2020523632.tif 000008
【図６】
2020523632.tif 000009
【図７】
2020523632.tif 000010
【図８】
2020523632.tif 000011
【図９】
2020523632.tif 000012
【図１０】
2020523632.tif 000013
【図１１Ａ】
2020523632.tif 000014
【図１１Ｂ】
2020523632.tif 000015
【図１１Ｃ】
2020523632.tif 000016
【図１２】
2020523632.tif 000017
【図１３】
2020523632.tif 000018
【図１４】
2020523632.tif 000019
【図１５】
2020523632.tif 000020
【図１６】
2020523632.tif 000021
【図１７Ａ】
2020523632.tif 000022
【図１７Ｂ】
2020523632.tif 000023
【図１８】
2020523632.tif 000024
【図１９】
2020523632.tif 000025
【図２０】
2020523632.tif 000026
【図２１Ａ】
2020523632.tif 000027
【図２１Ｂ】
2020523632.tif 000028
【図２１Ｃ】
2020523632.tif 000029
【図２１Ｄ】
2020523632.tif 000030
【図２１Ｅ】
2020523632.tif 000031
【図２２】
2020523632.tif 000032
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
少なくとも二つのグループユニットを含むマルチグループレンズであって、
少なくとも二つの隣接する前記グループユニット間には、前記マルチグループレンズの光学系が光学設計系に適合するように、前記マルチグループレンズと前記光学設計系との差を補償するための少なくとも一つの第１のギャップがあることを特徴とする、マルチグループレンズ。
【請求項２】
前記マルチグループレンズは、第１の載置部材と少なくとも一つの第１のグループレンズエレメントとを含む第１のグループユニットと、第２の載置部材と少なくとも一つの第２のグループレンズエレメントとを含む第２のグループユニットとの二つのグループユニットを含み、それぞれ二つのレンズユニットを形成するように、前記第１のグループレンズエレメントは第１の載置部材に取り付けられており、前記第２のグループレンズエレメントは前記第２の載置部材に取り付けられている、請求項１に記載のマルチグループレンズ。
【請求項３】
前記第１の載置部材と前記第２の載置部材とが前記第１のギャップを形成し、前記第１のギャップに接続媒体が設置されている、請求項２に記載のマルチグループレンズ。
【請求項４】
前記第１の載置部材は第１の本体と延伸台とを含み、前記延伸台と前記第２のグループユニットの前記第２の載置部材とが前記第１のギャップを形成している、請求項２に記載のマルチグループレンズ。
【請求項５】
前記延伸台は環状構造に形成されている、請求項４に記載のマルチグループレンズ。
【請求項６】
前記第１の本体は、第１の収容キャビティと、第１の上部光通過孔と、第１の下部光通過孔とを有し、前記第１のグループレンズエレメントは前記第１の収容キャビティに収容され、光は前記第１の上部光通過孔を通して前記第１のグループレンズエレメントに到達し、第１の下部光通過孔を通して前記第２のグループユニットに到達する、請求項４に記載のマルチグループレンズ。
【請求項７】
第２の本体は、第２の収容キャビティと、第２の上部光通過孔と、第２の下部光通過孔とを有し、前記第２のグループレンズエレメントは前記第２の収容キャビティに収容され、前記第１のグループユニットを通過した光は第２の上部光通過孔を通して前記第２のグループユニット内の前記第２のグループレンズエレメントに到達し、前記第２の下部光通過孔を通して前記第２のグループユニットを通過する、請求項４に記載のマルチグループレンズ。
【請求項８】
前記延伸台の下方に位置する前記第１の本体は、前記第２の本体の前記第２の上部光通過孔内に延びている、請求項７に記載のマルチグループレンズ。
【請求項９】
前記第２の載置部材は内側延長縁を含み、前記内側延長縁は前記第２の本体から内側に延びて前記第２の上部光通過孔を形成する、請求項７に記載のマルチグループレンズ。
【請求項１０】
前記第１のグループユニットと前記第２のグループユニットとの相対的位置を調整するように、前記第１の本体と前記内側延長縁とが第４のギャップを形成している、請求項９に記載のマルチグループレンズ。
【請求項１１】
前記延伸台と前記内側延長縁とが前記第１のギャップを形成している、請求項９に記載のマルチグループレンズ。
【請求項１２】
前記マルチグループレンズは少なくとも一つの調整素子を含み、前記調整素子は前記第１のグループユニットの前記延伸台に設置され、前記調整素子と前記内側延長縁とが前記第１のギャップを形成している、請求項９に記載のマルチグループレンズ。
【請求項１３】
少なくとも二つの隣接する前記グループユニットは少なくとも一つの第２のギャップを有し、前記第２のギャップは前記第１のギャップと連通している、請求項１２に記載のマルチグループレンズ。
【請求項１４】
前記調整素子は、前記延伸台から部分的に下方に延び、前記延伸台と前記内側延長縁との間に前記第１のギャップと前記第２のギャップを形成している、請求項１３に記載のマルチグループレンズ。
【請求項１５】
前記第１のグループユニットの前記調整素子と前記第２のグループユニットの前記内側延長縁とが前記第１のギャップを形成している、請求項１３に記載のマルチグループレンズ。
【請求項１６】
前記第１のグループユニットと前記第２のグループユニットを固定するように、前記第１のギャップに接続媒体が設置されている、請求項３に記載のマルチグループレンズ。
【請求項１７】
前記第１のグループユニットと前記第２のグループユニットを固定するように、前記第１のギャップと前記第２のギャップに接続媒体が設置されている、請求項１３に記載のマルチグループレンズ。
【請求項１８】
前記第１のグループユニットは少なくとも一つの第１の光路素子を含み、前記第１のグループユニットの光チャネルを形成するように、前記第１の光路素子は前記第１のグループレンズエレメントと組み合わせて配置されている、請求項２に記載のマルチグループレンズ。
【請求項１９】
請求項１〜１８のいずれか一項に記載のマルチグループレンズと、
感光モジュールと
を含む撮像モジュールであって、前記マルチグループレンズは前記感光モジュールの感光経路に位置していることを特徴とする、撮像モジュール。
【請求項２０】
機器本体と、
請求項１〜１８のいずれか一項に記載のマルチグループレンズと、
感光モジュールと
を含む電子機器であって、前記マルチグループレンズは前記感光モジュールの感光経路に設置されて撮像モジュールを構成し、前記撮像モジュールは前記機器本体に設置され、前記機器本体と協働して画像の収集と再生を実現することを特徴とする、電子機器。 
【国際調査報告】
2020523632.tif 000033
2020523632.tif 000034
2020523632.tif 000035
2020523632.tif 000036